(57)【要約】【課題】一時的に使用できるアドレスを利用して、個人情報の漏洩を防ぐようにする。【解決手段】  通信部１２１は、電子機器から送信されてくる、所定の情報を通知するために一時的に使用される第１のアドレスと、この電子機器のアドレスである第２のアドレスを含む第１の送信文を受信し、送信文解析部１２２は、受信した第１の送信文を解析して、解析結果を、制御部１２３に供給する。制御部１２３は、解析結果を基に、第１のアドレスと、第２のアドレスとを対応させて、テーブル記憶部１２４に記憶させ、対応して記憶されている第１のアドレスと、第２のアドレスとを基に、所定の情報を提供する情報提供装置から送信されてくる、所定の情報をユーザに提供するための第２の送信文を第２のアドレス宛てに送信させることで、一時的に使用される第１のアドレスにより、個人情報の漏洩を防ぐようにする。本発明は、情報処理システムに適用できる。【選択図】図６
2006155188.tif 000002
【特許請求の範囲】
【請求項１】
情報提供装置、第１の電子機器、第２の電子機器、および情報処理装置からなる情報処理システムにおいて、
前記情報提供装置は、
ユーザに対して、所定の情報を通知するために一時的に使用される第１のアドレスを生成する第１の生成手段と、
前記第１のアドレスを前記第１の電子機器宛てに送信する第１の送信手段と、
前記ユーザに対して、前記所定の情報を通知する場合、前記所定の情報を発生させる発生手段と、
前記第１のアドレスおよび前記所定の情報に基づいて、前記所定の情報を前記ユーザに提供するためのデータとして、前記第１のアドレスと前記所定の情報を含む第１の送信文を生成する第２の生成手段と、
生成した前記第１の送信文を前記情報処理装置宛てに送信する第２の送信手段と
を備え、
前記第１の電子機器は、
前記情報提供装置から送信されてくる前記第１のアドレスを受信する第１の受信手段と、
受信した前記第１のアドレスを記憶する記憶手段と、
前記第２の電子機器からの要求に応じて、記憶している前記第１のアドレスを、前記第２の電子機器宛てに送信する第３の送信手段と
を備え、
前記第２の電子機器は、
前記第１の電子機器から送信されてくる前記第１のアドレスに基づいて、前記第１の送信文を前記情報処理装置に送信してもらうためのデータとして、前記第１のアドレスと自分の宛先である第２のアドレスを含む第２の送信文を生成する第３の生成手段と、
生成した前記第２の送信文を前記情報処理装置宛てに送信する第４の送信手段と、
前記情報処理装置から送信されてくる前記第１の送信文を受信する第２の受信手段と、
受信した前記第１の送信文から、前記第１の送信文に含まれる前記所定の情報を解析する第１の解析手段と、
前記第１の解析手段による解析結果に基づいて、前記ユーザに対して、前記第１の送信文に含まれる前記所定の情報を通知する通知手段と
を備え、
前記情報処理装置は、
前記第２の電子機器から送信されてくる前記第２の送信文を受信する第３の受信手段と、
受信した前記第２の送信文から、前記第２の送信文に含まれる前記第１のアドレスと前記第２のアドレスを解析する第２の解析手段と、
前記第２の解析手段による解析結果に基づいて、前記第１のアドレスと、前記第２のアドレスとを対応させて記憶する記憶手段と、
対応して記憶されている前記第１のアドレスと、前記第２のアドレスとに基づいて、前記情報提供装置から送信されてくる前記第１の送信文であって、前記第１のアドレスを含む前記第１の送信文を前記第２のアドレス宛てに送信する第５の送信手段と
を備えることを特徴とする情報処理システム。
【請求項２】
電子機器に情報を提供する情報提供装置において、
ユーザに対して、所定の情報を通知するために一時的に使用されるアドレスを生成する第１の生成手段と、
前記アドレスを他の電子機器宛てに送信する第１の送信手段と、
前記ユーザに対して、前記所定の情報を通知する場合、前記所定の情報を発生させる発生手段と、
前記アドレスおよび前記所定の情報に基づいて、前記所定の情報を前記ユーザに提供するためのデータとして、前記アドレスと前記所定の情報を含む送信文を生成する第２の生成手段と、
生成した前記送信文を、前記電子機器に前記送信文を転送する処理を行う情報処理装置宛てに送信する第２の送信手段と
を備えることを特徴とする情報提供装置。
【請求項３】
前記第１の生成手段は、乱数および自分を識別する値から、前記アドレスを生成する
ことを特徴とする請求項２に記載の情報提供装置。
【請求項４】
前記第１の送信手段は、前記アドレスとともに、前記所定の情報の種別に関する情報である区分情報を前記他の電子機器宛てに送信し、
前記第２の生成手段は、前記区分情報を含む送信文を生成し、
前記第２の送信手段は、生成した前記送信文を前記情報処理装置宛てに送信する
ことを特徴とする請求項２に記載の情報提供装置。
【請求項５】
電子機器に情報を提供する情報提供装置の情報提供方法において、
ユーザに対して、所定の情報を通知するために一時的に使用されるアドレスを生成する第１の生成ステップと、
前記アドレスの他の電子機器宛てへの送信を制御する第１の送信制御ステップと、
前記ユーザに対して、前記所定の情報を通知する場合、前記所定の情報を発生させる発生ステップと、
前記アドレスおよび前記所定の情報に基づいて、前記所定の情報を前記ユーザに提供するためのデータとして、前記アドレスと前記所定の情報を含む送信文を生成する第２の生成ステップと、
生成した前記送信文の、前記電子機器に前記送信文を転送する処理を行う情報処理装置宛てへの送信を制御する第２の送信制御ステップと
を含むことを特徴とする情報提供方法。
【請求項６】
電子機器に情報を提供する情報提供装置の情報提供用のプログラムであって、
ユーザに対して、所定の情報を通知するために一時的に使用されるアドレスを生成する第１の生成ステップと、
前記アドレスの他の電子機器宛てへの送信を制御する第１の送信制御ステップと、
前記ユーザに対して、前記所定の情報を通知する場合、前記所定の情報を発生させる発生ステップと、
前記アドレスおよび前記所定の情報に基づいて、前記所定の情報を前記ユーザに提供するためのデータとして、前記アドレスと前記所定の情報を含む送信文を生成する第２の生成ステップと、
生成した前記送信文の、前記電子機器に前記送信文を転送する処理を行う情報処理装置宛てへの送信を制御する第２の送信制御ステップと
を含むことを特徴とするコンピュータが読み取り可能なプログラムが記録されている記録媒体。
【請求項７】
電子機器に情報を提供する情報提供装置の処理を、コンピュータに行わせるプログラムにおいて、
ユーザに対して、所定の情報を通知するために一時的に使用されるアドレスを生成する第１の生成ステップと、
前記アドレスの他の電子機器宛てへの送信を制御する第１の送信制御ステップと、
前記ユーザに対して、前記所定の情報を通知する場合、前記所定の情報を発生させる発生ステップと、
前記アドレスおよび前記所定の情報に基づいて、前記所定の情報を前記ユーザに提供するためのデータとして、前記アドレスと前記所定の情報を含む送信文を生成する第２の生成ステップと、
生成した前記送信文の、前記電子機器に前記送信文を転送する処理を行う情報処理装置宛てへの送信を制御する第２の送信制御ステップと
を含むことを特徴とするプログラム。
【請求項８】
データを送信するか、または受信する電子機器において、
所定の情報を提供する情報提供装置から送信されてくる、前記所定の情報を通知するために一時的に使用されるアドレスを受信する受信手段と、
受信した前記アドレスを記憶する記憶手段と、
他の電子機器からの要求に応じて、記憶している前記アドレスを、前記他の電子機器宛てに送信する送信手段と
を備えることを特徴とする電子機器。
【請求項９】
データを送信するか、または受信する電子機器の情報処理方法において、
所定の情報を提供する情報提供装置から送信されてくる、前記所定の情報を通知するために一時的に使用されるアドレスの受信を制御する受信制御ステップと、
受信した前記アドレスを記憶する記憶ステップと、
他の電子機器からの要求に応じて、記憶している前記アドレスの、前記他の電子機器宛てへの送信を制御する送信制御ステップと
を含むことを特徴とする情報処理方法。
【請求項１０】
データを送信するか、または受信する電子機器の情報処理用のプログラムであって、
所定の情報を提供する情報提供装置から送信されてくる、前記所定の情報を通知するために一時的に使用されるアドレスの受信を制御する受信制御ステップと、
受信した前記アドレスを記憶する記憶ステップと、
他の電子機器からの要求に応じて、記憶している前記アドレスの、前記他の電子機器宛てへの送信を制御する送信制御ステップと
を含むことを特徴とするコンピュータが読み取り可能なプログラムが記録されている記録媒体。
【請求項１１】
データを送信するか、または受信する電子機器の処理を、コンピュータに行わせるプログラムにおいて、
所定の情報を提供する情報提供装置から送信されてくる、前記所定の情報を通知するために一時的に使用されるアドレスの受信を制御する受信制御ステップと、
受信した前記アドレスを記憶する記憶ステップと、
他の電子機器からの要求に応じて、記憶している前記アドレスの、前記他の電子機器宛てへの送信を制御する送信制御ステップと
を含むことを特徴とするプログラム。
【請求項１２】
情報処理装置からのデータを受信するか、または前記情報処理装置にデータを送信する電子機器において、
他の電子機器から送信されてくる、所定の情報を通知するために一時的に使用される第１のアドレスに基づいて、前記第１のアドレスと自分の宛先である第２のアドレスを含む第１の送信文を生成する生成手段と、
生成した前記第１の送信文を前記情報処理装置宛てに送信する送信手段と、
前記情報処理装置から送信されてくる、前記所定の情報をユーザに提供するためのデータである第２の送信文を受信する受信手段と、
受信した前記第２の送信文から、前記第２の送信文に含まれる前記所定の情報を解析する解析手段と、
前記解析手段による解析結果に基づいて、前記ユーザに対して、前記第２の送信文に含まれる前記所定の情報を通知する通知手段と
を備えることを特徴とする電子機器。
【請求項１３】
前記情報処理装置から送信されてくる前記第２の送信文に、前記所定の情報の種別に関する情報である区分情報が含まれる場合、前記区分情報に基づいて、前記第２の情報を、前記種別ごとに選択して分別する選択手段と、
前記通知手段は、分別された前記第２の送信文に基づいて、前記第２の送信文に含まれる前記所定の情報を通知する
ことを特徴とする請求項１２に記載の電子機器。
【請求項１４】
情報処理装置からのデータを受信するか、または前記情報処理装置にデータを送信する電子機器の情報処理方法において、
他の電子機器から送信されてくる、所定の情報を通知するために一時的に使用される第１のアドレスに基づいて、前記第１のアドレスと自分の宛先である第２のアドレスを含む第１の送信文を生成する生成ステップと、
生成した前記第１の送信の前記情報処理装置宛てへの送信を制御する送信制御ステップと、
前記情報処理装置から送信されてくる、前記所定の情報をユーザに提供するためのデータである第２の送信文の受信を制御する受信制御ステップと、
受信した前記第２の送信文から、前記第２の送信文に含まれる前記所定の情報を解析する解析ステップと、
前記解析ステップによる解析結果に基づいて、前記ユーザに対して、前記第２の送信文に含まれる前記所定の情報を通知する通知ステップと
を含むことを特徴とする情報処理方法。
【請求項１５】
情報処理装置からのデータを受信するか、または前記情報処理装置にデータを送信する電子機器の情報処理用のプログラムであって、
他の電子機器から送信されてくる、所定の情報を通知するために一時的に使用される第１のアドレスに基づいて、前記第１のアドレスと自分の宛先である第２のアドレスを含む第１の送信文を生成する生成ステップと、
生成した前記第１の送信の前記情報処理装置宛てへの送信を制御する送信制御ステップと、
前記情報処理装置から送信されてくる、前記所定の情報をユーザに提供するためのデータである第２の送信文の受信を制御する受信制御ステップと、
受信した前記第２の送信文から、前記第２の送信文に含まれる前記所定の情報を解析する解析ステップと、
前記解析ステップによる解析結果に基づいて、前記ユーザに対して、前記第２の送信文に含まれる前記所定の情報を通知する通知ステップと
を含むことを特徴とするコンピュータが読み取り可能なプログラムが記録されている記録媒体。
【請求項１６】
情報処理装置からのデータを受信するか、または前記情報処理装置にデータを送信する電子機器の処理を、コンピュータに行わせるプログラムにおいて、
他の電子機器から送信されてくる、所定の情報を通知するために一時的に使用される第１のアドレスに基づいて、前記第１のアドレスと自分の宛先である第２のアドレスを含む第１の送信文を生成する生成ステップと、
生成した前記第１の送信の前記情報処理装置宛てへの送信を制御する送信制御ステップと、
前記情報処理装置から送信されてくる、前記所定の情報をユーザに提供するためのデータである第２の送信文の受信を制御する受信制御ステップと、
受信した前記第２の送信文から、前記第２の送信文に含まれる前記所定の情報を解析する解析ステップと、
前記解析ステップによる解析結果に基づいて、前記ユーザに対して、前記第２の送信文に含まれる前記所定の情報を通知する通知ステップと
を含むことを特徴とするプログラム。
【請求項１７】
電子機器からのデータを受信するか、または前記電子機器にデータを送信する情報処理装置において、
前記電子機器から送信されてくる、所定の情報を通知するために一時的に使用される第１のアドレスと、前記電子機器の宛先である第２のアドレスを含む第１の送信文を受信する受信手段と、
受信した前記第１の送信文から、前記第１の送信文に含まれる前記第１のアドレスと前記第２のアドレスを解析する解析手段と、
前記解析手段による解析結果に基づいて、前記第１のアドレスと、前記第２のアドレスとを対応させて記憶する記憶手段と、
対応して記憶されている前記第１のアドレスと、前記第２のアドレスとに基づいて、前記所定の情報を提供する情報提供装置から送信されてくる、前記所定の情報をユーザに提供するためのデータである第２の送信文であって、前記第１のアドレスを含む前記第２の送信文を前記第２のアドレス宛てに送信する送信手段と
を備えることを特徴とする情報処理装置。
【請求項１８】
前記記憶手段は、さらに、前記第１のアドレスに対応させて、前記第２の送信文を前記電子機器に送信する回数を示す転送情報を記憶し、
前記送信手段は、前記転送情報に基づいて、前記第２の送信文を、前記第２の送信文に含まれる前記第１のアドレスに対応した前記第２のアドレス宛てに送信する
ことを特徴とする請求項１７に記載の情報処理装置。
【請求項１９】
電子機器からのデータを受信するか、または前記電子機器にデータを送信する情報処理装置の情報処理方法において、
前記電子機器から送信されてくる、所定の情報を通知するために一時的に使用される第１のアドレスと、前記電子機器の宛先である第２のアドレスを含む第１の送信文の受信を制御する受信制御ステップと、
受信した前記第１の送信文から、前記第１の送信文に含まれる前記第１のアドレスと前記第２のアドレスを解析する解析ステップと、
前記解析ステップによる解析結果に基づいて、前記第１のアドレスと、前記第２のアドレスとを対応させて記憶する記憶ステップと、
対応して記憶されている前記第１のアドレスと、前記第２のアドレスとに基づいて、前記所定の情報を提供する情報提供装置から送信されてくる、前記所定の情報をユーザに提供するためのデータである第２の送信文であって、前記第１のアドレスを含む前記第２の送信文の前記第２のアドレス宛てへの送信を制御する送信制御ステップと
を含むことを特徴とする情報処理方法。
【請求項２０】
電子機器からのデータを受信するか、または前記電子機器にデータを送信する情報処理装置の情報処理用のプログラムであって、
前記電子機器から送信されてくる、所定の情報を通知するために一時的に使用される第１のアドレスと、前記電子機器の宛先である第２のアドレスを含む第１の送信文の受信を制御する受信制御ステップと、
受信した前記第１の送信文から、前記第１の送信文に含まれる前記第１のアドレスと前記第２のアドレスを解析する解析ステップと、
前記解析ステップによる解析結果に基づいて、前記第１のアドレスと、前記第２のアドレスとを対応させて記憶する記憶ステップと、
対応して記憶されている前記第１のアドレスと、前記第２のアドレスとに基づいて、前記所定の情報を提供する情報提供装置から送信されてくる、前記所定の情報をユーザに提供するためのデータである第２の送信文であって、前記第１のアドレスを含む前記第２の送信文の前記第２のアドレス宛てへの送信を制御する送信制御ステップと
を含むことを特徴とするコンピュータが読み取り可能なプログラムが記録されている記録媒体。
【請求項２１】
電子機器からのデータを受信するか、または前記電子機器にデータを送信する情報処理装置の処理を、コンピュータに行わせるプログラムにおいて、
前記電子機器から送信されてくる、所定の情報を通知するために一時的に使用される第１のアドレスと、前記電子機器の宛先である第２のアドレスを含む第１の送信文の受信を制御する受信制御ステップと、
受信した前記第１の送信文から、前記第１の送信文に含まれる前記第１のアドレスと前記第２のアドレスを解析する解析ステップと、
前記解析ステップによる解析結果に基づいて、前記第１のアドレスと、前記第２のアドレスとを対応させて記憶する記憶ステップと、
対応して記憶されている前記第１のアドレスと、前記第２のアドレスとに基づいて、前記所定の情報を提供する情報提供装置から送信されてくる、前記所定の情報をユーザに提供するためのデータである第２の送信文であって、前記第１のアドレスを含む前記第２の送信文の前記第２のアドレス宛てへの送信を制御する送信制御ステップと
を含むことを特徴とするプログラム。
【請求項２２】
情報処理装置からのデータを受信するか、または前記情報処理装置にデータを送信する電子機器において、
所定の情報を提供する情報提供装置から送信されてくる、前記所定の情報を通知するために一時的に使用される第１のアドレスを受信する第１の受信手段と、
受信した第１のアドレスに基づいて、前記第１のアドレスと自分の宛先である第２のアドレスを含む第１の送信文を生成する生成手段と、
生成した前記第１の送信文を前記情報処理装置宛てに送信する送信手段と、
前記情報処理装置から送信されてくる、前記所定の情報をユーザに提供するためのデータである第２の送信文を受信する第２の受信手段と、
受信した前記第２の送信文から、前記第２の送信文に含まれる前記所定の情報を解析する解析手段と、
前記解析手段による解析結果に基づいて、前記ユーザに対して、前記第２の送信文に含まれる前記所定の情報を通知する通知手段と
を備えることを特徴とする電子機器。
【請求項２３】
前記情報処理装置から送信されてくる前記第２の送信文に、前記所定の情報の種別に関する情報である区分情報が含まれる場合、前記区分情報に基づいて、前記第２の情報を、前記種別ごとに選択して分別する選択手段と、
前記通知手段は、分別された前記第２の送信文に基づいて、前記第２の送信文に含まれる前記所定の情報を通知する
ことを特徴とする請求項２２に記載の電子機器。
【請求項２４】
情報処理装置からのデータを受信するか、または前記情報処理装置にデータを送信する電子機器の情報処理方法において、
所定の情報を提供する情報提供装置から送信されてくる、前記所定の情報を通知するために一時的に使用される第１のアドレスの受信を制御する第１の受信制御ステップと、
受信した第１のアドレスに基づいて、前記第１のアドレスと自分の宛先である第２のアドレスを含む第１の送信文を生成する生成ステップと、
生成した前記第１の送信文の前記情報処理装置宛てへの送信を制御する送信制御ステップと、
前記情報処理装置から送信されてくる、前記所定の情報をユーザに提供するためのデータである第２の送信文の受信を制御する第２の受信制御ステップと、
受信した前記第２の送信文から、前記第２の送信文に含まれる前記所定の情報を解析する解析ステップと、
前記解析ステップによる解析結果に基づいて、前記ユーザに対して、前記第２の送信文に含まれる前記所定の情報を通知する通知ステップと
を含むことを特徴とする情報処理方法。
【請求項２５】
情報処理装置からのデータを受信するか、または前記情報処理装置にデータを送信する電子機器の情報処理用のプログラムであって、
所定の情報を提供する情報提供装置から送信されてくる、前記所定の情報を通知するために一時的に使用される第１のアドレスの受信を制御する第１の受信ステップと、
受信した第１のアドレスに基づいて、前記第１のアドレスと自分の宛先である第２のアドレスを含む第１の送信文を生成する生成ステップと、
生成した前記第１の送信文の前記情報処理装置宛てへの送信を制御する送信制御ステップと、
前記情報処理装置から送信されてくる、前記所定の情報をユーザに提供するためのデータである第２の送信文の受信を制御する第２の受信制御ステップと、
受信した前記第２の送信文から、前記第２の送信文に含まれる前記所定の情報を解析する解析ステップと、
前記解析ステップによる解析結果に基づいて、前記ユーザに対して、前記第２の送信文に含まれる前記所定の情報を通知する通知ステップと
を含むことを特徴とするコンピュータが読み取り可能なプログラムが記録されている記録媒体。
【請求項２６】
情報処理装置からのデータを受信するか、または前記情報処理装置にデータを送信する電子機器の処理を、コンピュータに行わせるプログラムにおいて、
所定の情報を提供する情報提供装置から送信されてくる、前記所定の情報を通知するために一時的に使用される第１のアドレスの受信を制御する第１の受信制御ステップと、
受信した第１のアドレスに基づいて、前記第１のアドレスと自分の宛先である第２のアドレスを含む第１の送信文を生成する生成ステップと、
生成した前記第１の送信文の前記情報処理装置宛てへの送信を制御する送信制御ステップと、
前記情報処理装置から送信されてくる、前記所定の情報をユーザに提供するためのデータである第２の送信文の受信を制御する第２の受信制御ステップと、
受信した前記第２の送信文から、前記第２の送信文に含まれる前記所定の情報を解析する解析ステップと、
前記解析ステップによる解析結果に基づいて、前記ユーザに対して、前記第２の送信文に含まれる前記所定の情報を通知する通知ステップと
を含むことを特徴とするプログラム。
【発明の詳細な説明】
【技術分野】
【０００１】
本発明は情報処理システム、情報提供装置および方法、電子機器および方法、情報処理装置および方法、記録媒体、並びにプログラムに関し、特に、個人情報の漏洩を防ぐことができるようにした情報処理システム、情報提供装置および方法、電子機器および方法、情報処理装置および方法、記録媒体、並びにプログラムに関する。
【背景技術】
【０００２】
近年、パーソナルコンピュータや携帯電話機などによる電子メールの普及にともない、電子メールを使用した様々なサービスが提供されている。
【０００３】
例えば、所定の情報の提供を受けるサービスに加入したい場合、サービスの提供者に、宛先となる自分のメールアドレスなどの個人情報を教えて、その宛先に情報を送信してもらうことで、様々な情報を取得することができる。
【０００４】
具体的には、例えば、発行者が購読者に対して、定期的に電子メールで情報を届けるサービスであるメールマガジンの配信サービスを受けたい場合、ユーザは、メールマガジンの提供者に対して、宛先となる自分のメールアドレスなどの個人情報を教えて、そのメールアドレス宛てにメールマガジンを配信してもらうことで、メールマガジンの配信サービスを受けていた。
【０００５】
すなわち、サービスの提供を受けるためには、サービスの提供者に対して、メールアドレスなどの個人情報を教える必要がある。
【０００６】
また、案内などを表示する情報ボードの表示部に配置されている情報要求部に対して、利用者が、PDA（Personal Digital Assistants）を近接させた場合、情報要求部の内側のリーダライタが、PDAに内蔵された非接触ICカード（そのICカードに記憶されている個人情報）に応じて、PDAに提供する情報を取得するとともに、非接触ICカードから通知されたPDAのブルートゥースアドレスに基づいて、PDAとのブルートゥースによる通信を確立させて、取得した情報をPDAに提供する情報提供システムも提案されている（例えば、特許文献１参照）。
【０００７】
【特許文献１】特開２００３−８５６５９号公報
【発明の開示】
【発明が解決しようとする課題】
【０００８】
しかしながら、情報の提供者に、メールアドレスなどの個人情報を知らせてしまうと、必要な情報を取得した後であっても、情報の提供者が個人情報を保持し続けるので、要求していない情報が定期的に送られてきたり、他の業者に個人情報を漏洩されたりする可能性があった。
【０００９】
また、メールアドレスなどの個人情報が集中的に管理されている場合、個人情報の管理を特定の管理者が行うので、管理者に個人情報を持ち出される可能性がある割には、管理者の人件費などのコストがかかるという問題があった。
【００１０】
本発明はこのような状況に鑑みてなされたものであり、一時的に使用できるアドレスを利用して、サービス提供者が情報を提供する場合でも個人を特定できないようにすることで、個人情報の漏洩を防ぐようにするものである。また、特定の管理人を配置しないことにより、コストを削減するようにするものである。
【課題を解決するための手段】
【００１１】
本発明の情報処理システムは、情報提供装置が、ユーザに対して、所定の情報を通知するために一時的に使用される第１のアドレスを生成する第１の生成手段と、第１のアドレスを第１の電子機器宛てに送信する第１の送信手段と、ユーザに対して、所定の情報を通知する場合、所定の情報を発生させる発生手段と、第１のアドレスおよび所定の情報に基づいて、所定の情報をユーザに提供するためのデータとして、第１のアドレスと所定の情報を含む第１の送信文を生成する第２の生成手段と、生成した第１の送信文を情報処理装置宛てに送信する第２の送信手段とを備え、第１の電子機器が、情報提供装置から送信されてくる第１のアドレスを受信する第１の受信手段と、受信した第１のアドレスを記憶する記憶手段と、第２の電子機器からの要求に応じて、記憶している第１のアドレスを、第２の電子機器宛てに送信する第３の送信手段とを備え、第２の電子機器が、第１の電子機器から送信されてくる第１のアドレスに基づいて、第１の送信文を情報処理装置に送信してもらうためのデータとして、第１のアドレスと自分の宛先である第２のアドレスを含む第２の送信文を生成する第３の生成手段と、生成した第２の送信文を情報処理装置宛てに送信する第４の送信手段と、情報処理装置から送信されてくる第１の送信文を受信する第２の受信手段と、受信した第１の送信文から、第１の送信文に含まれる所定の情報を解析する第１の解析手段と、第１の解析手段による解析結果に基づいて、ユーザに対して、第１の送信文に含まれる所定の情報を通知する通知手段とを備え、情報処理装置が、第２の電子機器から送信されてくる第２の送信文を受信する第３の受信手段と、受信した第２の送信文から、第２の送信文に含まれる第１のアドレスと第２のアドレスを解析する第２の解析手段と、第２の解析手段による解析結果に基づいて、第１のアドレスと、第２のアドレスとを対応させて記憶する記憶手段と、対応して記憶されている第１のアドレスと、第２のアドレスとに基づいて、情報提供装置から送信されてくる第１の送信文であって、第１のアドレスを含む第１の送信文を第２のアドレス宛てに送信する第５の送信手段とを備えることを特徴とする。
【００１２】
本発明の情報提供装置は、ユーザに対して、所定の情報を通知するために一時的に使用されるアドレスを生成する第１の生成手段と、アドレスを他の電子機器宛てに送信する第１の送信手段と、ユーザに対して、所定の情報を通知する場合、所定の情報を発生させる発生手段と、アドレスおよび所定の情報に基づいて、所定の情報をユーザに提供するためのデータとして、アドレスと所定の情報を含む送信文を生成する第２の生成手段と、生成した送信文を、電子機器に送信文を転送する処理を行う情報処理装置宛てに送信する第２の送信手段とを備えることを特徴とする。
【００１３】
第１の生成手段は、乱数および自分を識別する値から、アドレスを生成することを特徴とする。
【００１４】
第１の送信手段は、アドレスとともに、所定の情報の種別に関する情報である区分情報を他の電子機器宛てに送信し、第２の生成手段は、区分情報を含む送信文を生成し、第２の送信手段は、生成した送信文を情報処理装置宛てに送信することを特徴とする。
【００１５】
本発明の情報提供方法は、ユーザに対して、所定の情報を通知するために一時的に使用されるアドレスを生成する第１の生成ステップと、アドレスの他の電子機器宛てへの送信を制御する第１の送信制御ステップと、ユーザに対して、所定の情報を通知する場合、所定の情報を発生させる発生ステップと、アドレスおよび所定の情報に基づいて、所定の情報をユーザに提供するためのデータとして、アドレスと所定の情報を含む送信文を生成する第２の生成ステップと、生成した送信文の、電子機器に送信文を転送する処理を行う情報処理装置宛てへの送信を制御する第２の送信制御ステップとを含むことを特徴とする。
【００１６】
本発明の記録媒体のプログラムは、ユーザに対して、所定の情報を通知するために一時的に使用されるアドレスを生成する第１の生成ステップと、アドレスの他の電子機器宛てへの送信を制御する第１の送信制御ステップと、ユーザに対して、所定の情報を通知する場合、所定の情報を発生させる発生ステップと、アドレスおよび所定の情報に基づいて、所定の情報をユーザに提供するためのデータとして、アドレスと所定の情報を含む送信文を生成する第２の生成ステップと、生成した送信文の、電子機器に送信文を転送する処理を行う情報処理装置宛てへの送信を制御する第２の送信制御ステップとを含むことを特徴とする。
【００１７】
本発明のプログラムは、ユーザに対して、所定の情報を通知するために一時的に使用されるアドレスを生成する第１の生成ステップと、アドレスの他の電子機器宛てへの送信を制御する第１の送信制御ステップと、ユーザに対して、所定の情報を通知する場合、所定の情報を発生させる発生ステップと、アドレスおよび所定の情報に基づいて、所定の情報をユーザに提供するためのデータとして、アドレスと所定の情報を含む送信文を生成する第２の生成ステップと、生成した送信文の、電子機器に送信文を転送する処理を行う情報処理装置宛てへの送信を制御する第２の送信制御ステップとを含むことを特徴とする。
【００１８】
本発明の電子機器は、所定の情報を提供する情報提供装置から送信されてくる、所定の情報を通知するために一時的に使用されるアドレスを受信する受信手段と、受信したアドレスを記憶する記憶手段と、他の電子機器からの要求に応じて、記憶しているアドレスを、他の電子機器宛てに送信する送信手段とを備えることを特徴とする。
【００１９】
本発明の情報処理方法は、所定の情報を提供する情報提供装置から送信されてくる、所定の情報を通知するために一時的に使用されるアドレスの受信を制御する受信制御ステップと、受信したアドレスを記憶する記憶ステップと、他の電子機器からの要求に応じて、記憶しているアドレスの、他の電子機器宛てへの送信を制御する送信制御ステップとを含むことを特徴とする。
【００２０】
本発明の記録媒体のプログラムは、所定の情報を提供する情報提供装置から送信されてくる、所定の情報を通知するために一時的に使用されるアドレスの受信を制御する受信制御ステップと、受信したアドレスを記憶する記憶ステップと、他の電子機器からの要求に応じて、記憶しているアドレスの、他の電子機器宛てへの送信を制御する送信制御ステップとを含むことを特徴とする。
【００２１】
本発明のプログラムは、所定の情報を提供する情報提供装置から送信されてくる、所定の情報を通知するために一時的に使用されるアドレスの受信を制御する受信制御ステップと、受信したアドレスを記憶する記憶ステップと、他の電子機器からの要求に応じて、記憶しているアドレスの、他の電子機器宛てへの送信を制御する送信制御ステップとを含むことを特徴とする。
【００２２】
本発明の電子機器は、他の電子機器から送信されてくる、所定の情報を通知するために一時的に使用される第１のアドレスに基づいて、第１のアドレスと自分の宛先である第２のアドレスを含む第１の送信文を生成する生成手段と、生成した第１の送信文を情報処理装置宛てに送信する送信手段と、情報処理装置から送信されてくる、所定の情報をユーザに提供するためのデータである第２の送信文を受信する受信手段と、受信した第２の送信文から、第２の送信文に含まれる所定の情報を解析する解析手段と、解析手段による解析結果に基づいて、ユーザに対して、第２の送信文に含まれる所定の情報を通知する通知手段とを備えることを特徴とする。
【００２３】
本発明の電子機器は、情報処理装置から送信されてくる第２の送信文に、所定の情報の種別に関する情報である区分情報が含まれる場合、区分情報に基づいて、第２の情報を、種別ごとに選択して分別する選択手段と、通知手段は、分別された第２の送信文に基づいて、第２の送信文に含まれる所定の情報を通知することを特徴とする。
【００２４】
本発明の情報処理方法は、他の電子機器から送信されてくる、所定の情報を通知するために一時的に使用される第１のアドレスに基づいて、第１のアドレスと自分の宛先である第２のアドレスを含む第１の送信文を生成する生成ステップと、生成した第１の送信の情報処理装置宛てへの送信を制御する送信制御ステップと、情報処理装置から送信されてくる、所定の情報をユーザに提供するためのデータである第２の送信文の受信を制御する受信制御ステップと、受信した第２の送信文から、第２の送信文に含まれる所定の情報を解析する解析ステップと、解析ステップによる解析結果に基づいて、ユーザに対して、第２の送信文に含まれる所定の情報を通知する通知ステップとを含むことを特徴とする。
【００２５】
本発明の記録媒体のプログラムは、他の電子機器から送信されてくる、所定の情報を通知するために一時的に使用される第１のアドレスに基づいて、第１のアドレスと自分の宛先である第２のアドレスを含む第１の送信文を生成する生成ステップと、生成した第１の送信の情報処理装置宛てへの送信を制御する送信制御ステップと、情報処理装置から送信されてくる、所定の情報をユーザに提供するためのデータである第２の送信文の受信を制御する受信制御ステップと、受信した第２の送信文から、第２の送信文に含まれる所定の情報を解析する解析ステップと、解析ステップによる解析結果に基づいて、ユーザに対して、第２の送信文に含まれる所定の情報を通知する通知ステップとを含むことを特徴とする。
【００２６】
本発明のプログラムは、他の電子機器から送信されてくる、所定の情報を通知するために一時的に使用される第１のアドレスに基づいて、第１のアドレスと自分の宛先である第２のアドレスを含む第１の送信文を生成する生成ステップと、生成した第１の送信の情報処理装置宛てへの送信を制御する送信制御ステップと、情報処理装置から送信されてくる、所定の情報をユーザに提供するためのデータである第２の送信文の受信を制御する受信制御ステップと、受信した第２の送信文から、第２の送信文に含まれる所定の情報を解析する解析ステップと、解析ステップによる解析結果に基づいて、ユーザに対して、第２の送信文に含まれる所定の情報を通知する通知ステップとを含むことを特徴とする。
【００２７】
本発明の情報処理装置は、電子機器から送信されてくる、所定の情報を通知するために一時的に使用される第１のアドレスと、電子機器の宛先である第２のアドレスを含む第１の送信文を受信する受信手段と、受信した第１の送信文から、第１の送信文に含まれる第１のアドレスと第２のアドレスを解析する解析手段と、解析手段による解析結果に基づいて、第１のアドレスと、第２のアドレスとを対応させて記憶する記憶手段と、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文を第２のアドレス宛てに送信する送信手段とを備えることを特徴とする。
【００２８】
記憶手段は、さらに、第１のアドレスに対応させて、第２の送信文を電子機器に送信する回数を示す転送情報を記憶し、送信手段は、転送情報に基づいて、第２の送信文を、第２の送信文に含まれる第１のアドレスに対応した第２のアドレス宛てに送信することを特徴とする。
【００２９】
本発明の情報処理方法は、電子機器から送信されてくる、所定の情報を通知するために一時的に使用される第１のアドレスと、電子機器の宛先である第２のアドレスを含む第１の送信文の受信を制御する受信制御ステップと、受信した第１の送信文から、第１の送信文に含まれる第１のアドレスと第２のアドレスを解析する解析ステップと、解析ステップによる解析結果に基づいて、第１のアドレスと、第２のアドレスとを対応させて記憶する記憶ステップと、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文の第２のアドレス宛てへの送信を制御する送信制御ステップとを含むことを特徴とする。
【００３０】
本発明の記録媒体のプログラムは、電子機器から送信されてくる、所定の情報を通知するために一時的に使用される第１のアドレスと、電子機器の宛先である第２のアドレスを含む第１の送信文の受信を制御する受信制御ステップと、受信した第１の送信文から、第１の送信文に含まれる第１のアドレスと第２のアドレスを解析する解析ステップと、解析ステップによる解析結果に基づいて、第１のアドレスと、第２のアドレスとを対応させて記憶する記憶ステップと、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文の第２のアドレス宛てへの送信を制御する送信制御ステップとを含むことを特徴とする。
【００３１】
本発明のプログラムは、電子機器から送信されてくる、所定の情報を通知するために一時的に使用される第１のアドレスと、電子機器の宛先である第２のアドレスを含む第１の送信文の受信を制御する受信制御ステップと、受信した第１の送信文から、第１の送信文に含まれる第１のアドレスと第２のアドレスを解析する解析ステップと、解析ステップによる解析結果に基づいて、第１のアドレスと、第２のアドレスとを対応させて記憶する記憶ステップと、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文の第２のアドレス宛てへの送信を制御する送信制御ステップとを含むことを特徴とする。
【００３２】
本発明の電子機器は、所定の情報を提供する情報提供装置から送信されてくる、所定の情報を通知するために一時的に使用される第１のアドレスを受信する第１の受信手段と、受信した第１のアドレスに基づいて、第１のアドレスと自分の宛先である第２のアドレスを含む第１の送信文を生成する生成手段と、生成した第１の送信文を情報処理装置宛てに送信する送信手段と、情報処理装置から送信されてくる、所定の情報をユーザに提供するためのデータである第２の送信文を受信する第２の受信手段と、受信した第２の送信文から、第２の送信文に含まれる所定の情報を解析する解析手段と、解析手段による解析結果に基づいて、ユーザに対して、第２の送信文に含まれる所定の情報を通知する通知手段とを備えることを特徴とする。
【００３３】
本発明の電子機器は、情報処理装置から送信されてくる第２の送信文に、所定の情報の種別に関する情報である区分情報が含まれる場合、区分情報に基づいて、第２の情報を、種別ごとに選択して分別する選択手段と、通知手段は、分別された第２の送信文に基づいて、第２の送信文に含まれる所定の情報を通知することを特徴とする。
【００３４】
本発明の情報処理方法は、所定の情報を提供する情報提供装置から送信されてくる、所定の情報を通知するために一時的に使用される第１のアドレスの受信を制御する第１の受信制御ステップと、受信した第１のアドレスに基づいて、第１のアドレスと自分の宛先である第２のアドレスを含む第１の送信文を生成する生成ステップと、生成した第１の送信文の情報処理装置宛てへの送信を制御する送信制御ステップと、情報処理装置から送信されてくる、所定の情報をユーザに提供するためのデータである第２の送信文の受信を制御する第２の受信制御ステップと、受信した第２の送信文から、第２の送信文に含まれる所定の情報を解析する解析ステップと、解析ステップによる解析結果に基づいて、ユーザに対して、第２の送信文に含まれる所定の情報を通知する通知ステップとを含むことを特徴とする。
【００３５】
本発明の記録媒体のプログラムは、所定の情報を提供する情報提供装置から送信されてくる、所定の情報を通知するために一時的に使用される第１のアドレスの受信を制御する第１の受信ステップと、受信した第１のアドレスに基づいて、第１のアドレスと自分の宛先である第２のアドレスを含む第１の送信文を生成する生成ステップと、生成した第１の送信文の情報処理装置宛てへの送信を制御する送信制御ステップと、情報処理装置から送信されてくる、所定の情報をユーザに提供するためのデータである第２の送信文の受信を制御する第２の受信制御ステップと、受信した第２の送信文から、第２の送信文に含まれる所定の情報を解析する解析ステップと、解析ステップによる解析結果に基づいて、ユーザに対して、第２の送信文に含まれる所定の情報を通知する通知ステップとを含むことを特徴とする。
【００３６】
本発明のプログラムは、所定の情報を提供する情報提供装置から送信されてくる、所定の情報を通知するために一時的に使用される第１のアドレスの受信を制御する第１の受信制御ステップと、受信した第１のアドレスに基づいて、第１のアドレスと自分の宛先である第２のアドレスを含む第１の送信文を生成する生成ステップと、生成した第１の送信文の情報処理装置宛てへの送信を制御する送信制御ステップと、情報処理装置から送信されてくる、所定の情報をユーザに提供するためのデータである第２の送信文の受信を制御する第２の受信制御ステップと、受信した第２の送信文から、第２の送信文に含まれる所定の情報を解析する解析ステップと、解析ステップによる解析結果に基づいて、ユーザに対して、第２の送信文に含まれる所定の情報を通知する通知ステップとを含むことを特徴とする。
【００３７】
本発明の情報処理システムにおいては、情報提供装置が、ユーザに対して、所定の情報を通知するために一時的に使用される第１のアドレスを生成し、第１のアドレスを第１の電子機器宛てに送信し、ユーザに対して、所定の情報を通知する場合、所定の情報を発生させ、第１のアドレスおよび所定の情報に基づいて、所定の情報をユーザに提供するためのデータとして、第１のアドレスと所定の情報を含む第１の送信文を生成し、生成した第１の送信文を情報処理装置宛てに送信する。また、第１の電子機器が、情報提供装置から送信されてくる第１のアドレスを受信し、受信した第１のアドレスを記憶し、第２の電子機器からの要求に応じて、記憶している第１のアドレスを、第２の電子機器宛てに送信する。さらに、第２の電子機器が、第１の電子機器から送信されてくる第１のアドレスに基づいて、第１の送信文を情報処理装置に送信してもらうためのデータとして、第１のアドレスと自分の宛先である第２のアドレスを含む第２の送信文を生成し、生成した第２の送信文を情報処理装置宛てに送信し、情報処理装置から送信されてくる第１の送信文を受信し、受信した第１の送信文から、第１の送信文に含まれる所定の情報を解析し、解析結果に基づいて、ユーザに対して、第１の送信文に含まれる所定の情報を通知する。そして、情報処理装置が、第２の電子機器から送信されてくる第２の送信文を受信し、受信した第２の送信文から、第２の送信文に含まれる第１のアドレスと第２のアドレスを解析し、解析結果に基づいて、第１のアドレスと、第２のアドレスとを対応させて記憶し、対応して記憶されている第１のアドレスと、第２のアドレスとに基づいて、情報提供装置から送信されてくる第１の送信文であって、第１のアドレスを含む第１の送信文を第２のアドレス宛てに送信する。
【００３８】
本発明の情報提供装置および情報提供方法、記録媒体、並びにプログラムにおいては、ユーザに対して、所定の情報を通知するために一時的に使用されるアドレスが生成され、アドレスが他の電子機器宛てに送信され、ユーザに対して、所定の情報を通知する場合、所定の情報が発生され、アドレスおよび所定の情報に基づいて、所定の情報をユーザに提供するためのデータとして、アドレスと所定の情報を含む送信文が生成され、生成した送信文が、電子機器に送信文を転送する処理を行う情報処理装置宛てに送信される。
【００３９】
本発明の電子機器および情報処理方法、記録媒体、並びにプログラムにおいては、所定の情報を提供する情報提供装置から送信されてくる、所定の情報を通知するために一時的に使用されるアドレスが受信され、受信したアドレスが記憶され、他の電子機器からの要求に応じて、記憶しているアドレスが、他の電子機器宛てに送信される。
【００４０】
本発明の電子機器および情報処理方法、記録媒体、並びにプログラムにおいては、他の電子機器から送信されてくる、所定の情報を通知するために一時的に使用される第１のアドレスに基づいて、第１のアドレスと自分の宛先である第２のアドレスを含む第１の送信文が生成され、生成した第１の送信文が情報処理装置宛てに送信され、情報処理装置から送信されてくる、所定の情報をユーザに提供するためのデータである第２の送信文が受信され、受信した第２の送信文から、第２の送信文に含まれる所定の情報が解析され、解析結果に基づいて、ユーザに対して、第２の送信文に含まれる所定の情報が通知される。
【００４１】
本発明の情報処理装置および情報処理方法、記録媒体、並びにプログラムにおいては、電子機器から送信されてくる、所定の情報を通知するために一時的に使用される第１のアドレスと、電子機器の宛先である第２のアドレスを含む第１の送信文が受信され、受信した第１の送信文から、第１の送信文に含まれる第１のアドレスと第２のアドレスが解析され、解析結果に基づいて、第１のアドレスと、第２のアドレスとが対応させて記憶され、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文が第２のアドレス宛てに送信される。
【００４２】
本発明の電子機器および情報処理方法、記録媒体、並びにプログラムにおいては、所定の情報を提供する情報提供装置から送信されてくる、所定の情報を通知するために一時的に使用される第１のアドレスが受信され、受信した第１のアドレスに基づいて、第１のアドレスと自分の宛先である第２のアドレスを含む第１の送信文が生成され、生成した第１の送信文が情報処理装置宛てに送信され、情報処理装置から送信されてくる、所定の情報をユーザに提供するためのデータである第２の送信文が受信され、受信した第２の送信文から、第２の送信文に含まれる所定の情報が解析され、解析結果に基づいて、ユーザに対して、第２の送信文に含まれる所定の情報が通知される。
【発明の効果】
【００４３】
本発明によれば、サービス提供者が提供する所定の情報を取得することができる。
【００４４】
また、本発明によれば、個人情報の漏洩を防ぐことができる。また、所定のサービスを利用する利用者は、安心してサービスを利用することができる。
【発明を実施するための最良の形態】
【００４５】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００４６】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００４７】
本発明によれば、情報処理システムが提供される。この情報処理システム（例えば、図１の通信システム１）は、情報提供装置（例えば、図１のサービス提供端末１２）が、ユーザに対して、所定の情報を通知するために一時的に使用される第１のアドレス（例えば、通知アドレス）を生成する第１の生成手段（例えば、図３のアドレス生成部６２）と、第１のアドレスを第１の電子機器（例えば、図１のICカード１１）宛てに送信する第１の送信手段（例えば、図３のリーダライタ６１）と、ユーザに対して、所定の情報（例えば、通知データ）を通知する場合、所定の情報を発生させる発生手段（例えば、図３のデータ発生部６４）と、第１のアドレスおよび所定の情報に基づいて、所定の情報をユーザに提供するためのデータとして、第１のアドレスと所定の情報を含む第１の送信文（例えば、サービス提供端末送信文）を生成する第２の生成手段（例えば、図３の送信文生成部６３）と、生成した第１の送信文を情報処理装置（例えば、図１のドメイン管理サーバ１４）宛てに送信する第２の送信手段（例えば、図３の通信部６５）とを備え、第１の電子機器（例えば、図１のICカード１１）が、情報提供装置（例えば、図１のサービス提供端末１２）から送信されてくる第１のアドレスを受信する第１の受信手段（例えば、図２の復調部３２）と、受信した第１のアドレスを記憶する記憶手段（例えば、図２の通知アドレス記憶部３８）と、第２の電子機器（例えば、図１のサービス利用端末１３）からの要求に応じて、記憶している第１のアドレスを、第２の電子機器宛てに送信する第３の送信手段（例えば、図２の変調部４０）とを備え、第２の電子機器（例えば、図１のサービス利用端末１３）は、第１の電子機器から送信されてくる第１のアドレスに基づいて、第１の送信文を情報処理装置に送信してもらうためのデータとして、第１のアドレスと自分の宛先である第２のアドレス（例えば、サービス利用端末１３のメールアドレス）を含む第２の送信文（例えば、サービス利用端末送信文）を生成する第３の生成手段（例えば、図５の送信文生成部１０３）と、生成した第２の送信文を情報処理装置宛てに送信する第４の送信手段（例えば、図１７のステップＳ１６６の処理を実行する図５の通信部１０４）と、情報処理装置から送信されてくる第１の送信文を受信する第２の受信手段（例えば、図１７のステップＳ１６７の処理を実行する図５の通信部１０４）と、受信した第１の送信文から、第１の送信文に含まれる所定の情報を解析する第１の解析手段（例えば、図５の送信文解析部１０５）と、第１の解析手段による解析結果に基づいて、ユーザに対して、第１の送信文に含まれる所定の情報を通知する通知手段（例えば、図５の通知部１０６）とを備え、情報処理装置が、第２の電子機器から送信されてくる第２の送信文を受信する第３の受信手段（図１４のステップＳ１４１の処理を実行する通信部図６の１２１）と、受信した第２の送信文から、第２の送信文に含まれる第１のアドレスと第２のアドレスを解析する第２の解析手段（例えば、図６の送信文解析部１２２）と、第２の解析手段による解析結果に基づいて、第１のアドレスと、第２のアドレスとを対応させて記憶する記憶手段（例えば��図６のテーブル記憶部１２４）と、対応して記憶されている第１のアドレスと、第２のアドレスとに基づいて、情報提供装置から送信されてくる第１の送信文であって、第１のアドレスを含む第１の送信文を第２のアドレス宛てに送信する第５の送信手段（例えば、図１４のステップＳ１４７の処理を実行する通信部１２１）とを備える。
【００４８】
本発明によれば、情報提供装置が提供される。この情報提供装置（例えば、図１のサービス提供端末１２）は、ユーザに対して、所定の情報を通知するために一時的に使用されるアドレス（例えば、通知アドレス）を生成する第１の生成手段（例えば、図３のアドレス生成部６２）と、アドレスを他の電子機器（例えば、図１のICカード１１）宛てに送信する第１の送信手段（例えば、図３のリーダライタ６１）と、ユーザに対して、所定の情報（例えば、通知データ）を通知する場合、所定の情報を発生させる発生手段（例えば、図３のデータ発生部６４）と、アドレスおよび所定の情報に基づいて、所定の情報をユーザに提供するためのデータとして、アドレスと所定の情報を含む送信文（例えば、サービス提供端末送信文）を生成する第２の生成手段（例えば、図３の送信文生成部６３）と、生成した送信文を、電子機器に送信文を転送する処理を行う情報処理装置（例えば、図１のドメイン管理サーバ１４）宛てに送信する第２の送信手段（例えば、図３の通信部６５）とを備える。
【００４９】
第１の生成手段は、乱数および自分を識別する値から、アドレスを生成することができる。
【００５０】
第１の送信手段は、アドレスとともに、所定の情報の種別に関する情報である区分情報（例えば、カテゴリ情報）を他の電子機器（例えば、図１のICカード１１）宛てに送信し、第２の生成手段は、区分情報を含む送信文を生成し、第２の送信手段は、生成した送信文を情報処理装置（例えば、図１のドメイン管理サーバ１４）宛てに送信することができる。
【００５１】
本発明によれば、情報提供方法が提供される。この情報提供方法は、ユーザに対して、所定の情報を通知するために一時的に使用されるアドレスを生成する第１の生成ステップ（例えば、図１２のステップＳ１２５の処理）と、アドレスの他の電子機器宛てへの送信を制御する第１の送信制御ステップ（例えば、図１２のステップＳ１２６の処理）と、ユーザに対して、所定の情報を通知する場合、所定の情報を発生させる発生ステップ（例えば、図１２のステップＳ１２７の処理）と、アドレスおよび所定の情報に基づいて、所定の情報をユーザに提供するためのデータとして、アドレスと所定の情報を含む送信文を生成する第２の生成ステップ（例えば、図１２のステップＳ１２８の処理）と、生成した送信文の、電子機器に送信文を転送する処理を行う情報処理装置宛てへの送信を制御する第２の送信制御ステップ（例えば、図１２のステップＳ１２９の処理）とを含む。
【００５２】
本発明によれば、プログラムが提供される。このプログラムは、ユーザに対して、所定の情報を通知するために一時的に使用されるアドレスを生成する第１の生成ステップ（例えば、図１２のステップＳ１２５の処理）と、アドレスの他の電子機器宛てへの送信を制御する第１の送信制御ステップ（例えば、図１２のステップＳ１２６の処理）と、ユーザに対して、所定の情報を通知する場合、所定の情報を発生させる発生ステップ（例えば、図１２のステップＳ１２７の処理）と、アドレスおよび所定の情報に基づいて、所定の情報をユーザに提供するためのデータとして、アドレスと所定の情報を含む送信文を生成する第２の生成ステップ（例えば、図１２のステップＳ１２８の処理）と、生成した送信文の、電子機器に送信文を転送する処理を行う情報処理装置宛てへの送信を制御する第２の送信制御ステップ（例えば、図１２のステップＳ１２９の処理）とを含む。
【００５３】
本発明によれば、電子機器が提供される。この電子機器（例えば、図１のICカード１１）は、所定の情報を提供する情報提供装置（例えば、図１のサービス提供端末１２から送信されてくる、所定の情報を通知するために一時的に使用されるアドレス（例えば、通知アドレス）を受信する受信手段（例えば、図２の復調部３２）と、受信したアドレスを記憶する記憶手段（例えば、図２の通知アドレス記憶部３８）と、他の電子機器（例えば、図１のサービス利用端末１３）からの要求に応じて、記憶しているアドレスを、他の電子機器宛てに送信する送信手段（例えば、図２の変調部４０）とを備える。
【００５４】
本発明によれば、情報処理方法が提供される。この情報処理方法は、所定の情報を提供する情報提供装置から送信されてくる、所定の情報を通知するために一時的に使用されるアドレスの受信を制御する受信制御ステップ（例えば、図９のステップＳ１０３の処理）と、受信したアドレスを記憶する記憶ステップ（例えば、図９のステップＳ１０４の処理）と、他の電子機器からの要求に応じて、記憶しているアドレスの、他の電子機器宛てへの送信を制御する送信制御ステップ（例えば、図９のステップＳ１０６の処理）とを含む。
【００５５】
本発明によれば、プログラムが提供される。このプログラムは、所定の情報を提供する情報提供装置から送信されてくる、所定の情報を通知するために一時的に使用されるアドレスの受信を制御する受信制御ステップ（例えば、図９のステップＳ１０３の処理）と、受信したアドレスを記憶する記憶ステップ（例えば、図９のステップＳ１０４の処理）と、他の電子機器からの要求に応じて、記憶しているアドレスの、他の電子機器宛てへの送信を制御する送信制御ステップ（例えば、図９のステップＳ１０６の処理）とを含む。
【００５６】
本発明によれば、電子機器が提供される。この電子機器（例えば、図１のサービス利用端末１３）は、他の電子機器（例えば、図１のICカード１１）から送信されてくる、所定の情報を通知するために一時的に使用される第１のアドレス（例えば、通知アドレス）に基づいて、第１のアドレスと自分の宛先である第２のアドレスを含む第１の送信文（例えば、サービス利用端末送信文）を生成する生成手段（例えば、図５の送信文生成部１０３）と、生成した第１の送信文を情報処理装置（例えば、図１のドメイン管理サーバ１４）宛てに送信する送信手段（例えば、図１７のステップＳ１６６の処理を実行する図５の通信部１０４）と、情報処理装置から送信されてくる、所定の情報をユーザに提供するためのデータである第２の送信文（例えば、サービス提供端末送信文）を受信する受信手段（例えば、図１７のステップＳ１６７の処理を実行する図５の通信部１０４）と、受信した第２の送信文から、第２の送信文に含まれる所定の情報を解析する解析手段（例えば、図５の送信文解析部１０５）と、解析手段による解析結果に基づいて、ユーザに対して、第２の送信文に含まれる所定の情報を通知する通知手段（例えば、図５の通知部１０６）とを備える。
【００５７】
また、この電子機器は、情報処理装置から送信されてくる第２の送信文に、所定の情報の種別に関する情報である区分情報（例えば、カテゴリ情報）が含まれる場合、区分情報に基づいて、第２の情報を、種別ごとに選択して分別する選択手段（例えば、フォルダ管理部１０２）と、通知手段は、分別された第２の送信文に基づいて、第２の送信文に含まれる所定の情報を通知することができる。
【００５８】
本発明によれば、情報処理方法が提供される。この情報提供方法は、他の電子機器から送信されてくる、所定の情報を通知するために一時的に使用される第１のアドレスに基づいて、第１のアドレスと自分の宛先である第２のアドレスを含む第１の送信文を生成する生成ステップ（例えば、図１７のステップＳ１６５の処理）と、生成した第１の送信文の情報処理装置宛てへの送信を制御する送信制御ステップ（例えば、図１７のステップＳ１６６の処理）と、情報処理装置から送信されてくる、所定の情報をユーザに提供するためのデータである第２の送信文の受信を制御する受信制御ステップ（例えば、図１７のステップＳ１６７の処理）と、受信した第２の送信文から、第２の送信文に含まれる所定の情報を解析する解析ステップ（例えば、図１７のステップＳ１６８の処理）と、解析ステップによる解析結果に基づいて、ユーザに対して、第２の送信文に含まれる所定の情報を通知する通知ステップ（例えば、図１７のステップＳ１６９の処理）とを含む。
【００５９】
本発明によれば、プログラムが提供される。このプログラムは、他の電子機器から送信されてくる、所定の情報を通知するために一時的に使用される第１のアドレスに基づいて、第１のアドレスと自分の宛先である第２のアドレスを含む第１の送信文を生成する生成ステップ（例えば、図１７のステップＳ１６５の処理）と、生成した第１の送信文の情報処理装置宛てへの送信を制御する送信制御ステップ（例えば、図１７のステップＳ１６６の処理）と、情報処理装置から送信されてくる、所定の情報をユーザに提供するためのデータである第２の送信文の受信を制御する受信制御ステップ（例えば、図１７のステップＳ１６７の処理）と、受信した第２の送信文から、第２の送信文に含まれる所定の情報を解析する解析ステップ（例えば、図１７のステップＳ１６８の処理）と、解析ステップによる解析結果に基づいて、ユーザに対して、第２の送信文に含まれる所定の情報を通知する通知ステップ（例えば、図１７のステップＳ１６９の処理）とを含む。
【００６０】
本発明によれば、情報処理装置が提供される。この情報処理装置（例えば、図１のドメイン管理サーバ１４）は、電子機器（例えば、図１のサービス利用端末１３）から送信されてくる、所定の情報を通知するために一時的に使用される第１のアドレス（例えば、通知アドレス）と、電子機器の宛先である第２のアドレス（例えば、サービス利用端末１３のメールアドレス）を含む第１の送信文（例えば、サービス利用端末送信文）を受信する受信手段（図１４のステップＳ１４１の処理を実行する通信部図６の１２１）と、受信した第１の送信文から、第１の送信文に含まれる第１のアドレスと第２のアドレスを解析する解析手段（例えば、図６の送信文解析部１２２）と、解析手段による解析結果に基づいて、第１のアドレスと、第２のアドレスとを対応させて記憶する記憶手段（例えば、図６のテーブル記憶部１２４）と、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文を第２のアドレス宛てに送信する送信手段（例えば、図１４のステップＳ１４７の処理を実行する通信部１２１）とを備える。
【００６１】
記憶手段は、さらに、第１のアドレスに対応させて、第２の送信文を電子機器に送信する回数を示す転送情報を記憶し、送信手段は、転送情報に基づいて、第２の送信文を、第２の送信文に含まれる第１のアドレスに対応した第２のアドレス宛てに送信することができる。
【００６２】
本発明によれば、情報処理方法が提供される。この情報処理方法は、電子機器から送信されてくる、所定の情報を通知するために一時的に使用される第１のアドレスと、電子機器の宛先である第２のアドレスを含む第１の送信文の受信を制御する受信制御ステップ（例えば、図１４のステップＳ１４１の処理）と、受信した第１の送信文から、第１の送信文に含まれる第１のアドレスと第２のアドレスを解析する解析ステップ（例えば、図１４のステップＳ１４２の処理）と、解析ステップによる解析結果に基づいて、第１のアドレスと、第２のアドレスとを対応させて記憶する記憶ステップ（例えば、図１４のステップＳ１４３の処理）と、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文の第２のアドレス宛てへの送信を制御する送信制御ステップ（例えば、図１４のステップＳ１４７の処理）とを含む。
【００６３】
本発明によれば、プログラムが提供される。このプログラムは、電子機器から送信されてくる、所定の情報を通知するために一時的に使用される第１のアドレスと、電子機器の宛先である第２のアドレスを含む第１の送信文の受信を制御する受信制御ステップ（例えば、図１４のステップＳ１４１の処理）と、受信した第１の送信文から、第１の送信文に含まれる第１のアドレスと第２のアドレスを解析する解析ステップ（例えば、図１４のステップＳ１４２の処理）と、解析ステップによる解析結果に基づいて、第１のアドレスと、第２のアドレスとを対応させて記憶する記憶ステップ（例えば、図１４のステップＳ１４３の処理）と、対応して記憶されている第１のアドレスと、第２のアドレスとに基づいて、所定の情報を提供する情報提供装置から送信されてくる、所定の情報をユーザに提供するためのデータである第２の送信文であって、第１のアドレスを含む第２の送信文の第２のアドレス宛てへの送信を制御する送信制御ステップ（例えば、図１４のステップＳ１４７の処理）とを含む。
【００６４】
本発明によれば、電子機器が提供される。この電子機器（例えば、図１９の携帯端末２１１）は、所定の情報を提供する情報提供装置から送信されてくる、所定の情報を通知するために一時的に使用される第１のアドレス（例えば、通知アドレス）を受信する第１の受信手段（例えば、図２０のICカード２２１）と、受信した第１のアドレスに基づいて、第１のアドレスと自分の宛先である第２のアドレス（例えば、携帯端末２１１のメールアドレス）を含む第１の送信文（例えば、サービス利用端末送信文）を生成する生成手段（例えば、図２０の送信文生成部２２３）と、生成した第１の送信文を情報処理装置（例えば、ドメイン管理サーバ１４）宛てに送信する送信手段（例えば、図２１のステップＳ２０６の処理を実行する通信部２２４）と、情報処理装置から送信されてくる、所定の情報をユーザに提供するためのデータである第２の送信文（例えば、サービス提供端末送信文）を受信する第２の受信手段（例えば、図２１のステップＳ２０７の処理を実行する通信部２２４）と、受信した第２の送信文から、第２の送信文に含まれる所定の情報を解析する解析手段（例えば、図２０の送信文解析部２２５）と、解析手段による解析結果に基づいて、ユーザに対して、第２の送信文に含まれる所定の情報を通知する通知手段（例えば、図２０の通知部２２６）とを備える。
【００６５】
また、この電子機器は、情報処理装置から送信されてくる第２の送信文に、所定の情報の種別に関する情報である区分情報（例えば、カテゴリ情報）が含まれる場合、区分情報に基づいて、第２の情報を、種別ごとに選択して分別する選択手段（例えば、図２０のフォルダ管理部２２２）と、通知手段は、分別された第２の送信文に基づいて、第２の送信文に含まれる所定の情報を通知することができる。
【００６６】
本発明によれば、情報処理方法が提供される。この情報処理方法は、所定の情報を提供する情報提供装置から送信されてくる、所定の情報を通知するために一時的に使用される第１のアドレスの受信を制御する第１の受信制御ステップ（例えば、図２１のステップＳ２０３の処理）と、受信した第１のアドレスに基づいて、第１のアドレスと自分の宛先である第２のアドレスを含む第１の送信文を生成する生成ステップ（例えば、図２１のステップＳ２０５の処理）と、生成した第１の送信文の情報処理装置宛てへの送信を制御する送信制御ステップ（例えば、図２１のステップＳ２０６の処理）と、情報処理装置から送信されてくる、所定の情報をユーザに提供するためのデータである第２の送信文の受信を制御する第２の受信制御ステップ（例えば、図２１のステップＳ２０７の処理）と、受信した第２の送信文から、第２の送信文に含まれる所定の情報を解析する解析ステップ（例えば、図２１のステップＳ２０８の処理）と、解析ステップによる解析結果に基づいて、ユーザに対して、第２の送信文に含まれる所定の情報を通知する通知ステップ（例えば、図２１のステップＳ２０９の処理）とを備える。
【００６７】
本発明によれば、プログラムが提供される。このプログラムは、所定の情報を提供する情報提供装置から送信されてくる、所定の情報を通知するために一時的に使用される第１のアドレスの受信を制御する第１の受信制御ステップ（例えば、図２１のステップＳ２０３の処理）と、受信した第１のアドレスに基づいて、第１のアドレスと自分の宛先である第２のアドレスを含む第１の送信文を生成する生成ステップ（例えば、図２１のステップＳ２０５の処理）と、生成した第１の送信文の情報処理装置宛てへの送信を制御する送信制御ステップ（例えば、図２１のステップＳ２０６の処理）と、情報処理装置から送信されてくる、所定の情報をユーザに提供するためのデータである第２の送信文の受信を制御する第２の受信制御ステップ（例えば、図２１のステップＳ２０７の処理）と、受信した第２の送信文から、第２の送信文に含まれる所定の情報を解析する解析ステップ（例えば、図２１のステップＳ２０８の処理）と、解析ステップによる解析結果に基づいて、ユーザに対して、第２の送信文に含まれる所定の情報を通知する通知ステップ（例えば、図２１のステップＳ２０９の処理）とを備える。
【００６８】
このプログラムは、記録媒体（例えば、図７の磁気ディスク１７１）に記憶することができる。
【００６９】
以下、図面を参照しながら本発明の実施の形態について説明する。
【００７０】
図１は、本発明を適用した通信システム１の一実施の形態を示す図である。通信システム１は、本発明の情報処理システムの一例である。
【００７１】
この通信システム１は、ICカード１１、サービス提供端末１２、サービス利用端末１３、およびドメイン管理サーバ１４から構成されている。ICカード１１とサービス提供端末１２との間では、電波（電磁波）が利用されて非接触でのデータの送受信が行われるように構成されている。また、同様に、ICカード１１とサービス利用端末１３との間では、電波（電磁波）が利用されて非接触でのデータの送受信が行われるように構成されている。
【００７２】
サービス提供端末１２とドメイン管理サーバ１４との間では、ネットワーク（図示せず）を介して、有線または無線により、通信するように構成されている。また、サービス利用端末１３とドメイン管理サーバ１４との間では、ネットワーク（図示せず）を介して、有線または無線により、通信するように構成されている。
【００７３】
図２は、ICカード１１の機能の構成を示すブロック図である。
【００７４】
ICカード１１は、アンテナ３１、復調部３２、SPU（Signal Processing Unit）３３、制御部３４、ROM３５、RAM３６、記憶部３７、通知アドレス記憶部３８、発振回路３９、変調部４０、および電力発生部４１を含むように構成される。
【００７５】
アンテナ３１は、サービス提供端末１２（図１）から送信されてきた変調波（例えば、ASK（Amplitude Shift Keying）変調波）を電波として受信し、受信した変調波を復調部３２に供給する。また、アンテナ３１は、変調部４０から供給された変調波（例えば、ASK変調波）を電波として、無線通信により、サービス提供端末１２宛てに送信する。なお、このとき、アンテナ３１においては、サービス提供端末１２（図１）から放射される所定の周波数の電波により、共振が生じ、起電力が発生する。
【００７６】
また、同様に、アンテナ３１は、サービス利用端末１３（図１）とも、無線通信により、変調波を電波として受信するか、または変調波を電波として送信する。
【００７７】
復調部３２は、アンテナ３１から供給された変調波を、後述する変調部８４（図４）の変調方式に対応する復調方式により復調し、復調したデータをSPU３３に供給する。
【００７８】
SPU３３は、復調部３２から供給されたデータを所定の方式により復号し、復号したデータを制御部３４に供給する。例えば、SPU３３は、復調部３２において復調されたデータがマンチェスター方式で符号化されている場合、図示せぬPLL（Phase Locked Loop）回路から供給されるクロック信号に基づいて、そのデータの復号（マンチェスターコードのデコード）を行い、復号したデータを制御部３４に供給する。
【００７９】
また、SPU３３は、制御部３４から供給されたデータを、所定の符号化方式により符号化し、符号化したデータを変調部４０に供給する。例えば、SPU３３は、制御部３４から供給されたデータを、マンチェスター方式で符号化し、符号化したデータを変調部４０に供給する。
【００８０】
制御部３４は、ICカード１１内の各部を制御する。
【００８１】
制御部３４は、SPU３３から供給された各種のコマンドを実行する。例えば、制御部３４は、サービス提供端末１２から供給されてくる情報を、通知アドレス記憶部３８に記憶させる。また、例えば、制御部３４は、サービス利用端末１３から送信されてくる情報を要求するコマンドに応じて、通知アドレス記憶部３８から情報を読み出し、読み出した情報を、サービス利用端末１３宛てに送信させる。
【００８２】
制御部３４は、必要に応じて、ROM３５に記録されているプログラムを読み込み、実行する。制御部３４は、必要に応じて、データをRAM３６に供給したり、RAM３６が一時的に記憶しているデータを取得する。
【００８３】
ROM３５は、制御部３４が各種の処理を行うためのプログラム、その他のデータなどを記録している。ROM３５は、記録しているプログラム、その他のデータなどを制御部３４に供給する。
【００８４】
RAM３６は、制御部３４が各種の処理を行うとき、その処理の途中のデータなどを一時的に記憶する。RAM３６は、記憶しているデータを制御部３４に供給する。
【００８５】
記憶部３７は、例えば、フラッシュメモリ、EEPROM（Electrically Erasable Programmable Read Only Memory）、MRAM（Magnetoresistive Random Access Memory（磁気抵抗メモリ））、またはFeRAM（強誘電体メモリ）などの不揮発性メモリなどにより構成され、各種データを記録している。
【００８６】
通知アドレス記憶部３８は、例えば、フラッシュメモリ、EEPROM、MRAM、またはFeRAMなどの不揮発性メモリなどにより構成される。通知アドレス記憶部３８は、制御部３４の制御に基づいて、通知アドレスを記憶するか、または通知アドレスを読み出す。
【００８７】
ここで、通知アドレスとは、サービス提供端末１２により生成され、通知アドレス記憶部３８に記憶される値（識別子）である。本発明においては、この通知アドレスを使用することで、サービス提供端末１２は、サービス利用端末１３のアドレスを認識していなくても、所定の情報をサービス利用端末１３宛てに送信することができるように構成されている。通知アドレスの詳細については、後述する。
【００８８】
発振回路３９は、アンテナ３１が受信するコマンドの周波数と同じ周波数のクロック信号を生成し、生成したクロック信号を変調部４０に供給する。例えば、発振回路３９は、PLL回路を内蔵し、通知アドレスのクロック周波数と同一の周波数のクロック信号を発生する。
【００８９】
変調部４０は、発振回路３９から供給された所定の周波数のクロック信号を基に、搬送波を生成する。変調部４０は、搬送波に基づいて、SPU３３から供給されたデータを、所定の方式によって変調することにより、変調したデータを生成し、変調したデータをアンテナ３１に供給する。例えば、変調部４０は、SPU３３から供給された、マンチェスター方式により符号化されたデータを、さらにASK変調し、変調したデータを、アンテナ３１を介して、サービス提供端末１２に送信させる。
【００９０】
また、例えば、変調部４０は、SPU３３から供給されるデータに対して、所定のスイッチング素子（図示せず）をオン、オフさせ、スイッチング素子がオン状態であるときだけ、所定の負荷をアンテナ３１に並列に接続させることにより、アンテナ３１の負荷を変動させる。ASK変調されたデータは、アンテナ３１の負荷の変動により、アンテナ３１を介して、サービス提供端末１２に送信される（後述するサービス提供端末１２のリーダライタ６１のアンテナ８６（図４）の端子電圧を変動させる）。
【００９１】
電力発生部４１は、アンテナ３１に生じた交流の起電力を基に、直流電力を発生させ、発生させた直流電力をICカード１１の各部に供給する。
【００９２】
図３は、サービス提供端末１２の機能の構成を示すブロック図である。
【００９３】
サービス提供端末１２は、リーダライタ６１、アドレス生成部６２、送信文生成部６３、データ発生部６４、および通信部６５を含むように構成される。
【００９４】
リーダライタ６１は、ユーザにより、ICカード１１（図１）が翳された場合、電波を利用して、ICカード１１と非接触でのデータの送受信を行う。なお、リーダライタ６１の詳細については、後述する。
【００９５】
アドレス生成部６２は、リーダライタ６１からの要求に応じて、乱数を生成する。アドレス生成部６２は、生成した乱数と、予め定められたサービス提供端末１２を特定するためのID（以下、サービスIDと称する）から、通知アドレスを生成する。アドレス生成部６２は、生成した通知アドレスをリーダライタ６１に供給する。
【００９６】
データ発生部６４は、通知データを発生させ、発生させた通知データを送信文生成部６３に供給する。例えば、データ発生部６４は、あるタイミングにおいて、ICカード１１を所持しているユーザに対して、所定の情報を通知しなければならない場合、通知データを発生させ、発生させた通知データを送信文生成部６３に供給する。
【００９７】
送信文生成部６３は、データ発生部６４から供給されてくる通知データ、およびリーダライタ６１から供給された通知アドレスを基に、サービス提供端末送信文を生成する。送信文生成部６３は、生成したサービス提供端末送信文を通信部６５に供給する。
【００９８】
詳細は後述するが、サービス提供端末送信文とは、ICカード１１を所持しているユーザに対して通知すべき内容と、ユーザを識別する通知アドレスとを含む情報である。
【００９９】
通信部６５は、送信文生成部６３から供給されたサービス提供端末送信文を、ドメイン管理サーバ１４（図１）宛てに送信する。
【０１００】
図４は、リーダライタ６１の詳細な機能の構成を示すブロック図である。
【０１０１】
リーダライタ６１は、制御部８１、記録部８２、SPU８３、変調部８４、発振回路８５、アンテナ８６、および復調部８７を含むように構成される。
【０１０２】
制御部８１は、リーダライタ６１内の各部を制御する。
【０１０３】
制御部８１は、SPU８３から供給されてくる復号されたデータを記録部８２に供給する。また、制御部８１は、記録部８２から供給されてくるデータをSPU８３に供給する。
【０１０４】
記録部８２は、書き換え可能で、電源が遮断されても記録内容を保持できる、いわゆる不揮発性メモリからなり、例えば、ハードディスクまたはフラッシュメモリなどにより構成される。記録部８２は、各種のデータを記録している。また、記録部８２は、記録しているデータを制御部８１に供給する。
【０１０５】
SPU８３は、制御部８１から供給されたデータを、所定の方式により符号化し、符号化したデータを変調部８４に供給する。例えば、SPU８３は、ICカード１１宛てに送信するデータが、制御部８１から供給されてきた場合、そのデータに、例えば、マンチェスターコードへのコーディングなどの符号化処理を施し、これにより得られた符号化したデータを変調部８４に供給する。
【０１０６】
また、SPU８３は、復調部８７から供給されたデータを、データの符号化方式に対応する方式により復号し、復号したデータを制御部８１に供給する。例えば、SPU８３は、ICカード１１からのデータが復調部８７から供給されてきた場合、そのデータに対して、例えば、マンチェスターコードのデコードなどの復号処理を施し、これにより得られた復号したデータを、制御部８１に供給する。
【０１０７】
変調部８４は、SPU８３から供給されたデータを基に、搬送波の位相、振幅、周波数などを変化させることにより、変調したデータを生成する。例えば、変調部８４は、発振回路８５から供給される13.56MHzの周波数のクロック信号を搬送波として、SPU８３より供給されるデータをASK変調し、生成された変調波を、電波としてアンテナ８６から送信させる。
【０１０８】
アンテナ８６は、変調部８４から供給された変調波を電波として輻射（放射）し、無線通信により、ICカード１１宛てに送信する。
【０１０９】
また、アンテナ８６は、無線通信により、ICカード１１から送信されてきた変調波（例えば、ASK変調波）を電波として受信し、受信した変調波を復調部８７に供給する。
【０１１０】
復調部８７は、アンテナ８６から供給された変調波を、変調部４０（図２）の変調方式（例えば、ASK変調波）に対応する復調方式により復調し、復調したデータをSPU８３に供給する。
【０１１１】
なお、後述するサービス利用端末１３のリーダライタ１０１（図５）は、上述したリーダライタ６１と同様に構成されるので、その説明は省略する。
【０１１２】
図５は、サービス利用端末１３の機能の構成を示すブロック図である。
【０１１３】
サービス利用端末１３は、リーダライタ１０１、フォルダ管理部１０２、送信文生成部１０３、通信部１０４、送信文解析部１０５、および通知部１０６を含むように構成される。
【０１１４】
リーダライタ１０１は、ユーザにより、ICカード１１（図１）が翳された場合、電波を利用して、ICカード１１と非接触でのデータの送受信を行う。また、リーダライタ１０１は、ICカード１１から送信されてくる情報のうち、通知アドレスを送信文生成部１０３に供給し、カテゴリ情報をフォルダ管理部１０２に供給する。
【０１１５】
ここで、カテゴリ情報とは、本発明を利用したサービス（例えば、後述するコインランドリー終了通知サービス）の区分を示す情報である。このカテゴリ情報により、ユーザは、複数のサービスを受けている場合であっても、カテゴリ情報ごとに、サービスを区別することができるので、より迅速に、所望の情報を取得することができる。
【０１１６】
なお、上述したように、リーダライタ１０１は、リーダライタ６１（図４）と同様に構成されるので、その詳細な説明は省略する。
【０１１７】
フォルダ管理部１０２は、リーダライタ１０１から供給されたカテゴリ情報を基に、後述するサービス利用端末送信文をサービスの区分ごとに分けるために設定する受信フォルダ名を設定する。また、フォルダ管理部１０２は、設定した受信フォルダ名を基に、通知部１０６が通知するサービス利用端末送信文を、カテゴリ情報ごとに振り分ける。
【０１１８】
送信文生成部１０３は、リーダライタ１０１から供給された通知アドレスを基に、サービス利用端末送信文を生成し、通信部１０４に供給する。
【０１１９】
詳細は後述するが、サービス利用端末送信文とは、ICカード１１を所持しているユーザに対して、サービス提供端末送信文が転送されてくるように識別させる通知アドレスを含む情報である。
【０１２０】
通信部１０４は、送信文生成部１０３から供給されたサービス利用端末送信文を、ドメイン管理サーバ１４（図１）宛てに送信する。また、通信部１０４は、ドメイン管理サーバ１４から送信（転送）されてきたサービス提供端末送信文を受信し、受信したサービス提供端末送信文を送信文解析部１０５に供給する。
【０１２１】
送信文解析部１０５は、通信部１０４から供給されたサービス提供端末送信文を解析する。送信文解析部１０５は、解析した情報（以下、解析情報と称する）を通知部１０６に供給する。
【０１２２】
通知部１０６は、送信文解析部１０５から供給された解析情報を基に、ユーザに対して、サービス提供端末送信文の内容を通知する。例えば、通知部１０６がLCD（Liquid Crystal Display）やCRT（Cathode Ray Tube）などで構成されている場合、サービス提供端末送信文は、それらの表示部（図示せず）に表示される。
【０１２３】
また、通知部１０６は、上述した例に限らず、例えば、音により通知する放音部（図示せず）や、LED（Light Emitting Diode）を点灯させることにより通知するLED（図示せず）などで構成することもできる。
【０１２４】
図６は、ドメイン管理サーバ１４の機能の構成を示すブロック図である。
【０１２５】
ドメイン管理サーバ１４は、通信部１２１、送信文解析部１２２、制御部１２３、およびテーブル記憶部１２４を含むように構成される。
【０１２６】
通信部１２１は、サービス提供端末１２（図１）やサービス利用端末１３（図１）から、サービス提供端末送信文やサービス利用端末送信文を受信し、受信したサービス提供端末送信文やサービス利用端末送信文を送信文解析部１２２に供給する。
【０１２７】
送信文解析部１２２は、通信部１２１から供給されたサービス提供端末送信文やサービス利用端末送信文を解析する。送信文解析部１２２は、解析した情報である解析情報を制御部１２３に供給する。
【０１２８】
制御部１２３は、送信文解析部１２２から供給された解析情報を基に、通知アドレスとサービス利用端末で使用されている電子メールのメールアドレス（以下、実アドレスと称する）とを対応させて、テーブル記憶部１２４に記憶されている転送テーブルに格納させる。
【０１２９】
詳細については後述するが、転送テーブルとは、通知アドレスとサービス利用端末の実アドレスとを対応させたデータが少なくとも格納されているテーブルである。
【０１３０】
また、制御部１２３は、必要に応じて、テーブル記憶部１２４に記憶されている転送テーブルから転送先となるサービス利用端末１３の実アドレスを読み出す。制御部１２３は、転送テーブルから取得した実アドレスを基に、通信部１２１に、サービス提供端末送信文を送信させる。
【０１３１】
図７は、ドメイン管理サーバ１４の構成例を示すブロック図である。
【０１３２】
CPU１５１は、ROM（Read Only Memory）１５２に記憶されているプログラム、または、記録部１５８に記録されているプログラムに従って各種の処理を実行する。RAM（Random Access Memory）１５３には、CPU１５１が実行するプログラムやデータなどが適宜記憶される。これらのCPU１５１、ROM１５２、およびRAM１５３は、バス１５４を介して相互に接続されている。
【０１３３】
CPU１５１にはまた、バス１５４を介して入出力インターフェイス１５５が接続されている。入出力インターフェイス１５５には、キーボード、マウスなどよりなる入力部１５６、ディスプレイなどよりなる出力部１５７が接続されている。CPU１５１は、入力部１５６から入力される指令に対応して各種の処理を実行する。そして、CPU１５１は、処理の結果得られた画像や音声などを出力部１５７に出力する。
【０１３４】
入出力インターフェイス１５５に接続されている記録部１５８は、例えば、ハードディスクなどで構成され、CPU１５１が実行するプログラムや各種のデータを記録する。
【０１３５】
通信部１５９は、通信網、インターネット、その他のネットワーク、または通信媒体を介して外部の装置と通信する。また、通信部１５９を介してプログラムを取得し、記録部１５８に記録してもよい。
【０１３６】
入出力インターフェイス１５５に接続されているドライブ１６０は、磁気ディスク１７１、光ディスク１７２、光磁気ディスク１７３、または半導体メモリ１７４などが装着されたとき、それらを駆動し、そこに記録されているプログラムやデータなどを取得する。取得されたプログラムやデータは、必要に応じて記録部１５８に転送され、記録される。
【０１３７】
なお、サービス提供端末１２（図１）とサービス利用端末１３（図１）を、図７と同様の構成としてもよい。
【０１３８】
図８は、図１の通信システム１の内の各部の処理を説明するシーケンス図である。また、図８のシーケンス図を参照して、本発明の通信システム１の処理の一例として、硬貨を入れると作動する自動洗濯機や乾燥機が設置されたセルフサービス方式の洗濯店であるコインランドリーにおける洗濯が終了したことを通知する、コインランドリー終了通知サービスの処理を説明する。
【０１３９】
まず、図８のシーケンス図を参照し、通信システム１の全体の処理の概略を説明し、その後、図９乃至図１８を参照して、個々の装置の詳細な処理について説明をする。
【０１４０】
ステップＳ２１において、サービス提供端末１２は、ICカード１１に記憶されているドメイン名を要求するコマンド（以下、ドメイン名要求コマンドと称する）をICカード１１宛てに送信する。
【０１４１】
具体的には、コインランドリーに来たユーザが、所持しているICカード１１を、コインランドリーに設置された洗濯機に接続（内蔵）されたサービス提供端末１２に翳したとき、ICカード１１とサービス提供端末１２とは、通信が可能な状態となり、そのような状態のときに、ステップＳ２１の処理として、ドメイン名要求コマンドがICカード１１宛てに送信される。
【０１４２】
ステップＳ１１において、ICカード１１は、サービス提供端末１２から送信されてくるドメイン名要求コマンドを受信する。
【０１４３】
ステップＳ１２において、ICカード１１は、受信したドメイン名要求コマンドに応じて、ドメイン名をサービス提供端末１２宛てに送信する。
【０１４４】
ステップＳ２２において、サービス提供端末１２は、ICカード１１から送信されてくるドメイン名を受信する。
【０１４５】
ステップＳ２３において、サービス提供端末１２は、通知アドレスを生成して、生成した通知アドレスをICカード１１宛てに送信する。
【０１４６】
ステップＳ１３において、ICカード１１は、サービス提供端末１２から送信されてくる通知アドレスを受信する。ICカード１１は、受信した通知アドレスを記憶する。
【０１４７】
このようにして、ICカード１１に、通知アドレスが記憶される。この通知アドレスが、ICカード１１に記憶されることにより、上述したように、サービス提供端末１２は、サービス利用端末１３のアドレスを認識していなくても、所定の情報をサービス利用端末１３宛てに送信することができるようになる。
【０１４８】
ここで、ユーザは、洗濯を開始したが、洗濯が終了するまで時間がかかるので、自宅に戻ることとする。また、その自宅には、サービス利用端末１３が設置されているものとする。また、ここでのサービスとは、洗濯が終了したことを示す終了通知を受けることである。
【０１４９】
ステップＳ４１において、サービス利用端末１３は、ICカード１１に記録されている情報を要求するコマンド（以下、情報要求コマンドと称する）をICカード１１宛て送信する。
【０１５０】
具体的には、サービス利用端末１３は、ユーザが所持しているICカード１１を、自宅に設置されたサービス利用端末１３に翳した場合、ICカード１１との通信が可能になるので、情報要求コマンドをICカード１１宛てに送信する。
【０１５１】
ステップＳ１４において、ICカード１１は、サービス利用端末１３から、情報要求コマンドを受信する。
【０１５２】
ステップＳ１５において、ICカード１１は、情報要求コマンドに応じて、記憶している通知アドレスを、サービス利用端末１３宛てに送信する。
【０１５３】
ステップＳ４２において、サービス利用端末１３は、ICカード１１から、通知アドレスを受信する。
【０１５４】
ステップＳ４３において、サービス利用端末１３は、受信した通知アドレスを基に、サービス利用端末送信文を生成する。
【０１５５】
ステップＳ４４において、サービス利用端末１３は、生成したサービス利用端末送信文を、ドメイン管理サーバ１４宛てに送信する。
【０１５６】
ステップＳ３１において、ドメイン管理サーバ１４は、サービス利用端末１３から送信されてくるサービス利用端末送信文を受信する。
【０１５７】
ステップＳ３２において、ドメイン管理サーバ１４は、受信したサービス利用端末送信文を基に、通知アドレスを転送登録する。
【０１５８】
ステップＳ２４において、サービス提供端末１２は、通知データを発生させる。
【０１５９】
具体的には、サービス提供端末１２は、洗濯機による洗濯が終了した場合、洗濯の終了を検知することにより、「洗濯が終了したことを示す通知」である通知データを発生させる。例えば、サービス提供端末１２は、洗濯機の電圧の変化を検知し、電圧が所定のレベル以下になった場合に、洗濯が終了したと判断するようにし、そのような判断がされたときに通知データを発生させる。
【０１６０】
なお、洗濯の終了を検知する方法は、例えば、洗濯機が発する音を検知する方法など、洗濯が終了したことを検知できる方法であればよい。また、洗濯機が、「洗濯が終了したことを示す通知」を発生するようにしてもよい。
【０１６１】
ステップＳ２５において、サービス提供端末１２は、発生させた通知データを基に、サービス提供端末送信文を生成する。
【０１６２】
具体的には、サービス提供端末１２は、「洗濯が終了したことを示す通知」を示す通知データを基に、「洗濯が終了しました。」を本文とするサービス提供端末送信文を生成する。
【０１６３】
ステップＳ２６において、サービス提供端末１２は、生成したサービス提供端末送信文をドメイン管理サーバ１４宛てに送信する。
【０１６４】
ステップＳ３３において、ドメイン管理サーバ１４は、サービス提供端末１２から送信されてくるサービス提供端末送信文を受信する。
【０１６５】
具体的には、この場合、ステップＳ３３において、ドメイン管理サーバ１４は、サービス提供端末１２から送信されてくる「洗濯が終了しました。」を本文とするサービス提供端末送信文を受信する。
【０１６６】
ステップＳ３４において、ドメイン管理サーバ１４は、転送登録した通知アドレスを基に、サービス提供端末１２から送信されてくるサービス提供端末送信文を、サービス利用端末１３宛てに転送する。
【０１６７】
ステップＳ４５において、サービス利用端末１３は、ドメイン管理サーバ１４から送信されてくるサービス提供端末送信文を受信する。
【０１６８】
ステップＳ４６において、サービス利用端末１３は、受信したサービス提供端末送信文を基に、サービス利用端末送信文の内容を通知する。
【０１６９】
具体的には、この場合、サービス利用端末１３は、受信した「洗濯が終了しました。」を本文とするサービス提供端末送信文を基に、「洗濯が終了しました。」である本文をサービス利用端末１３の画面に表示するなどにより、ユーザに所定の情報を通知する。
【０１７０】
このように、サービスが終了したことを通知されるので、自宅にいるユーザは、洗濯が終了したことを認識して、コインランドリーに洗濯物をとりに戻ることとなる。また、コインランドリーでの洗濯は、時間がかかるものであるが、ユーザが、このサービスを利用することにより、コインランドリー内で待つことなく、自宅に居ながら洗濯が終了したことを認識できるので、洗濯の待ち時間を有効に活用することができる。
【０１７１】
ステップＳ４７において、サービス利用端末１３は、ドメイン管理サーバ１４が記憶している通知アドレスを削除させるコマンド（以下、通知アドレス削除コマンドと称する）をドメイン管理サーバ１４宛てに送信する。
【０１７２】
ステップＳ３５において、ドメイン管理サーバ１４は、サービス利用端末１３から送信されてくる通知アドレス削除コマンドを受信する。
【０１７３】
ステップＳ３６において、ドメイン管理サーバ１４は、受信した通知アドレス削除コマンドを基に、対象となる転送登録された通知アドレスを削除して、処理を終了する。
【０１７４】
このように、一時的に使用される通知アドレスを利用することにより、サービス提供端末１２（サービス提供者）が提供するサービスを使用している、ICカード１１を所持しているユーザを特定できるような個人情報を、漏洩してしまうようなことを防ぐことができる。よって、ユーザは、安心して、通信システム１（サービス）を使用することができる。
【０１７５】
次に、図９乃至図１８を参照して、図８のシーケンス図により説明した、ICカード１１、サービス提供端末１２、サービス利用端末１３、およびドメイン管理サーバ１４のそれぞれの装置の処理について、より詳細な説明をする。
【０１７６】
まず、図９のフローチャートを参照して、ICカード１１のデータ送受信の処理について説明する。
【０１７７】
ステップＳ１０１において、制御部３４は、アンテナ３１の、所定の周波数の電波を放射した状態における負荷状態を監視することにより、サービス提供端末１２から、ドメイン名要求コマンドを受信したか否かを判定する。
【０１７８】
ステップＳ１０１において、ドメイン名要求コマンドを受信していないと判定された場合、ステップＳ１０１の処理に戻り、上述した処理が繰り返される。すなわち、ICカード１１は、ユーザにより、サービス提供端末１２のリーダライタ６１に翳されて、ドメイン名要求コマンドが送信されてくるまで、待機している。
【０１７９】
一方、ステップＳ１０１において、ドメイン名要求コマンドを受信したと判定された場合、ステップＳ１０２に進み、制御部３４は、サービス提供端末１２から送信されてきたドメイン名要求コマンドに応じて、記憶部３７からドメイン名を読み出し、読み出したドメイン名を、サービス提供端末１２宛てに送信させる。
【０１８０】
ここで、ドメイン名とは、サービス利用端末１３が所属しているドメイン名であり、記憶部３７に記憶されている。このドメイン名により、サービス利用端末１３の所属しているドメイン名を識別できる。この場合、ICカード１１に記憶されたドメイン名を、サービス提供端末１２に送信することで、サービス提供端末１２は、そのドメイン名に対して、サービス提供端末送信文を送信することができる。すなわち、サービス提供端末１２は、サービス利用端末１３が所属しているドメイン管理サーバ１４に対して、サービス提供端末送信文を送信することができるようになる。
【０１８１】
図１０は、ICカード１１に設定（記憶）されている情報（ICカード設定情報）の例を示す図である。
【０１８２】
図１０で示される例において、１行目は、項目を示し、２行目は、ドメイン名として設定されたデータを示す。また、１列目は、項目を示し、２列目は、１列目に対応したデータを示す。すなわち、図１０で示される例において、ドメイン名として設定されたデータが、記憶部３７に記憶されていることとなる。
【０１８３】
図１０の左から２列目の上から２番目の“@domain.com”は、ICカード１１の記憶部３７に記憶されているドメイン名が“@domain.com”であることを示す。すなわち、サービス利用端末１３が所属しているドメインは、“@domain.com”であるとも言える。
【０１８４】
なお、このICカード設定情報は、例えば、ユーザがサービス（例えば、上述したコインランドリー終了通知サービス）に利用する際に、予め設定しておく情報である。具体的には、例えば、サービスを利用する前に、サービスの提供者により、ICカード設定情報のうちの１つであるドメイン名が、サービス利用端末１３が所属しているドメインである、“@domain.com”として設定される。
【０１８５】
図９のフローチャートの説明に戻り、例えば、ステップＳ１０２において、制御部３４は、サービス提供端末１２から送信されてきたドメイン名要求コマンドに応じて、記憶部３７から“@domain.com”であるドメイン名を読み出し、読み出したドメイン名をSPU３３に供給する。SPU３３は、制御部３４から供給されたドメイン名を符号化し、符号化したドメイン名を変調部４０に供給する。変調部４０は、SPU３３から供給された符号化されたドメイン名を変調し、変調したドメイン名を、アンテナ３１に供給することで、変調したドメイン名である変調波を、電波としてサービス提供端末１２に送信される。
【０１８６】
ステップＳ１０３において、復調部３２は、アンテナ３１を介して、サービス提供端末１２から送信されてくる情報を受信する。復調部３２は、アンテナ３１を介して受信した情報を復調し、復調した情報をSPU３３に供給する。SPU３３は、復調部３２から供給されてくる情報を復号し、復号した情報を制御部３４に供給する。
【０１８７】
ここで、図１１は、ICカード１１が受信する情報の例を示す図である。
【０１８８】
図１１で示される例において、１行目は、項目を示し、２行目は、通知アドレスとして設定されたデータを示し、３行目は、カテゴリ情報として設定されたデータを示し、４行目は、開始時刻として設定されたデータを示す。また、１列目は、項目を示し、２列目は、１列目に対応したデータを示す。すなわち、図１１で示される例において、ICカード１１には、サービス提供端末１２から、“通知アドレス”、“カテゴリ情報”、および“開始時刻”に関する情報が送信されてくることとなる。
【０１８９】
図１１の左から２列目の上から２番目の“ABC123456789”は、サービス提供端末１２から受信した通知アドレスが、“ABC123456789”であることを示す。また、図１１の左から２列目の上から３番目の“コインランドリー”は、サービス提供端末１２から受信したカテゴリ情報が、“コインランドリー”であることを示す。さらに、図１１の左から２列目の上から４番目の“2004/11/11 20:55:24”は、サービス提供端末１２から受信した開始時刻が、“2004/11/11 20:55:24”であることを示す。
【０１９０】
すなわち、図１１で示される例においては、ユーザが、“2004年11月11日20時55分24秒”に、コインランドリーで洗濯を開始したことを示す、“コインランドリー”であるカテゴリ情報と“2004/11/11 20:55:24”である開始時刻が、通知アドレスとともに送信されてくる。
【０１９１】
なお、図１１で示される例においては、サービス提供端末から送信されてくる情報として、通知アドレス、カテゴリ情報、および開始時刻を説明したが、サービス提供端末から送信されてくる情報には、少なくとも通知アドレスを含んでいればよい。また、例えば、サービス提供端末１２の設置場所を示す情報などが送信されるようにしてもよい。
【０１９２】
図９のフローチャートの説明に戻り、例えば、ステップＳ１０３において、復調部３２は、アンテナ３１を介して、サービス提供端末１２から送信されてくる、“ABC123456789”である通知アドレス、“コインランドリー”であるカテゴリ情報、“2004/11/11 20:55:24”である開始時刻を受信する。復調部３２は、アンテナ３１を介して受信したこれらの情報を復調し、復調した情報をSPU３３に供給する。SPU３３は、復調部３２から供給されてくる情報を復号し、復号した情報を制御部３４に供給する。
【０１９３】
ステップＳ１０４において、制御部３４は、SPU３３から供給されてくる情報を、通知アドレス記憶部３８に記憶させる。例えば、ステップＳ１０４において、制御部３４は、SPU３３から供給されてくる“ABC123456789”である通知アドレス、“コインランドリー”であるカテゴリ情報、“2004/11/11 20:55:24”である開始時刻を、通知アドレス記憶部３８に記憶させる。
【０１９４】
ステップＳ１０５において、制御部３４は、アンテナ３１の、所定の周波数の電波を放射した状態における負荷状態を監視することにより、サービス利用端末１３から、情報要求コマンドを受信したか否かを判定する。
【０１９５】
ステップＳ１０５において、情報要求コマンドを受信していないと判定された場合、ステップＳ１０５の処理に戻り、上述した処理が繰り返される。すなわち、ICカード１１は、ユーザにより、サービス利用端末１３のリーダライタ１０１に翳されて、情報要求コマンドが送信されてくるまで、待機している。
【０１９６】
一方、ステップＳ１０５において、情報要求コマンドを受信したと判定された場合、ステップＳ１０６に進み、制御部３４は、サービス提供端末１２から送信されてきた情報要求コマンドに応じて、通知アドレス記憶部３８から情報を読み出し、読み出した情報を、サービス提供端末１２宛てに送信させる。
【０１９７】
例えば、ステップＳ１０６において、制御部３４は、通知アドレス記憶部３８から、情報として、“ABC123456789”である通知アドレス、“コインランドリー”であるカテゴリ情報、“2004/11/11 20:55:24”である開始時刻を読み出し、読み出した情報をSPU３３に供給する。SPU３３は、制御部３４から供給された情報を、マンチェスター方式で符号化し、符号化した情報を変調部４０に供給する。変調部４０は、SPU３３から供給された、マンチェスター方式により符号化された情報を、さらにASK変調し、変調した情報を、アンテナ３１を介して、リーダライタ６１宛てに送信させる。
【０１９８】
ステップＳ１０７において、制御部３４は、通知アドレス記憶部３８に記憶されている情報を削除して、処理を終了する。例えば、ステップＳ１０７において、制御部３４は、通知アドレス記憶部３８に記憶されている“ABC123456789”である通知アドレス、“コインランドリー”であるカテゴリ情報、“2004/11/11 20:55:24”である開始時刻を削除する。
【０１９９】
このように、ICカード１１は、サービス提供端末１２から送信されてくる通知アドレスを記憶することで、ユーザのメールアドレスなどの個人情報をサービスの提供者などに知らせることなく、サービス提供端末１２から送信されてくるサービス提供端末送信文を、サービス利用端末１３に受信させることができるようになる。
【０２００】
また、一度使用した通知アドレスを、サービス利用端末１３に送信した後、削除するので、その結果、ユーザは、自分のメールアドレスなどの個人情報が漏洩したり、そのメールアドレス宛てに迷惑メール（スパムメール）が送信されてくる心配をせずに、安心して通信システム１（サービス）を使用することができる。
【０２０１】
次に、図１２のフローチャートを参照して、サービス提供端末１２のデータ送受信の処理について説明する。
【０２０２】
ステップＳ１２１において、リーダライタ６１は、アンテナ８６の、所定の周波数の電波を放射した状態における負荷状態を監視することにより、ICカード１１との通信が可能であるか否かを判定する。
【０２０３】
ステップＳ１２１において、ICカード１１との通信が可能でないと判定された場合、ステップＳ１２１の処理に戻り、上述した処理が繰り返される。すなわち、サービス提供端末１２は、ICカード１１との通信が可能となるまで、待機している。
【０２０４】
一方、ステップＳ１２１において、ICカード１１との通信が可能であると判定された場合、ステップＳ１２２に進み、リーダライタ６１は、ドメイン名要求コマンドを生成し、生成したドメイン名要求コマンドを、ICカード１１宛てに送信する。
【０２０５】
例えば、ステップＳ１２２において、リーダライタ６１の制御部８１は、ICカード１１との通信が可能であると判定した場合、ドメイン名要求コマンドを生成し、生成したドメイン名要求コマンドをSPU８３に供給する。SPU８３は、制御部８１から供給されたドメイン名要求コマンドを符号化し、符号化したドメイン名要求コマンドを変調部８４に供給する。変調部８４は、SPU８３から供給された符号化されたドメイン名要求コマンドを変調し、変調したドメイン名要求コマンドを、アンテナ８６に供給することで、変調したドメイン名要求コマンドである変調波を、電波としてICカード１１に送信させる。
【０２０６】
ステップＳ１２３において、リーダライタ６１は、ICカード１１から送信されてくるドメイン名を受信する。リーダライタ１０１は、受信したドメイン名を送信文生成部６３に供給する。
【０２０７】
例えば、ステップＳ１２３において、リーダライタ６１の復調部８７は、アンテナ８６を介して、ICカード１１から送信されてくる“@domain.com”であるドメイン名を受信する。復調部８７は、アンテナ８６を介して受信したドメイン名を復調し、復調したドメイン名をSPU８３に供給する。SPU８３は、復調部８７から供給されてくるドメイン名を復号し、復号したドメイン名を制御部８１に供給する。
【０２０８】
また、ステップＳ１２３において、リーダライタ６１は、通知アドレスを生成する要求をアドレス生成部６２に供給する。
【０２０９】
ステップＳ１２４において、アドレス生成部６２は、リーダライタ６１からの要求に応じて、乱数を生成する。アドレス生成部６２は、例えば、Ｍ系列（Maximum Length Code）により、“123456789”である乱数を生成する。
【０２１０】
ここで、Ｍ系列とは、「０」と「１」とをランダムに並べた乱数をいい、理想的な乱数の性質を満たすことから、広く利用されている。Ｍ系列は、例えば、シフトレジスタと排他的論理和（EXOR）ゲートを用いて生成することができる。
【０２１１】
また、乱数を生成する方法は、上述した、Ｍ系列により生成する方法に限らず、例えば、Gold系列、二項乱数、ポアソン乱数、正規乱数などにより、乱数を生成するようにしてもよい。
【０２１２】
ステップＳ１２５において、アドレス生成部６２は、生成した乱数と、予め定められたサービス提供端末１２を特定するためのIDであるサービスIDから、通知アドレスを生成する。アドレス生成部６２は、生成した通知アドレスをリーダライタ６１に供給する。
【０２１３】
例えば、ステップＳ１２５において、アドレス生成部６２は、乱数により生成した“123456789”という数字列と、“ABC”であるサービスIDを基に、乱数とサービスIDとを合成した値である“ABC123456789”を、通知アドレスとして生成し、生成した通知アドレスをリーダライタ６１に供給する。
【０２１４】
ステップＳ１２６において、リーダライタ６１は、アドレス生成部６２から供給されてくる通知アドレスを、情報として、ICカード１１宛てに送信する。
【０２１５】
ここで、上述したように、図１１は、ICカード１１が受信する情報の例を示す図である。すなわち、図１１は、サービス提供端末１２からICカード１１に送信される情報の例を示す図であるとも言える。図１１で示される例においては、サービス提供端末１２からICカード１１に送信する情報として、通知アドレス以外に、カテゴリ情報と開始時刻が示されている。
【０２１６】
例えば、ステップＳ１２６において、リーダライタ６１は、アドレス生成部６２から供給されてくる“ABC123456789”である通知アドレスとともに、記録部８２に予め記録されている“コインランドリー”であるカテゴリ情報と、計時部（図示せず）により計時された“2004/11/11 20:55:24”である開始時刻を、ICカード１１宛てに送信する。
【０２１７】
また、ステップＳ１２６において、リーダライタ６１は、通知アドレス、カテゴリ情報、および開始時刻を送信文生成部６３に供給する。例えば、リーダライタ６１は、“ABC123456789”である通知アドレス、“コインランドリー”というカテゴリ情報、および“2004/11/11 20:55:24”である開始時刻を、送信文生成部６３に供給する。
【０２１８】
ステップＳ１２７において、データ発生部６４は、通知データを発生させるか否かを判定する。例えば、ステップＳ１２７において、データ発生部１２７は、サービス提供端末１２がコインランドリーに設置され、洗濯機（図示せず）と接続されている場合、洗濯機による洗濯が終了したことを検知することにより、通知データを発生させるか否かを判定する。
【０２１９】
ステップＳ１２７において、通知データを発生させないと判定された場合、ステップＳ１２７に戻り、上述した処理が繰り返される。すなわち、サービス提供端末１２は、データ発生部６４が、通知データを発生させるまで、待機している。
【０２２０】
一方、ステップＳ１２７において、通知データを発生させると判定された場合、ステップＳ１２８に進み、データ発生部６４は、発生させた通知データを送信文生成部６３に供給する。送信文生成部６３は、データ発生部６４から供給された通知データ、並びにリーダライタ６１から供給されたドメイン名、通知アドレス、カテゴリ情報、および開始時刻を基に、サービス提供端末送信文を生成する。送信文生成部６３は、生成したサービス提供端末送信文を通信部６５に供給する。
【０２２１】
ここで、図１３は、サービス提供端末送信文の例を示す図である。
【０２２２】
図１３で示される例において、１行目は、項目を示し、２行目は、送信先のアドレスを示し、３行目は、送信元のアドレスを示し、４行目は、タイトルを示し、５行目は、通知データの内容である本文を示す。また、１列目は、項目を示し、２列目は、１列目に対応したデータを示す。すなわち、図１３で示される例において、サービス提供端末送信文は、“送信元（サービス提供端末１２）のアドレス”から、“送信先のアドレス”宛てに送信される、“タイトル”と“本文”からなる電子文書（例えば、電子メール）となる。
【０２２３】
図１３の左から２列目の上から２番目の“ABC123456789@domain.com”は、送信先のアドレスが、“ABC123456789@domain.com”であることを示し、図１３の左から２列目の上から３番目の“ABC@domain.com”は、送信元のアドレスが、“ABC@domain.com”であることを示す。すなわち、“ABC@domain.com”である送信元（サービス提供端末１２）から、“ABC123456789@domain.com”である送信先（ドメイン名と通知アドレスから、一時的に生成されたメールアドレス）に、サービス提供端末送信文が送信されることとなる。
【０２２４】
図１３の左から２列目の上から４番目の“コインランドリー 2004/11/11 20:55:24”は、サービス提供端末送信文のタイトルが、“コインランドリー 2004/11/11 20:55:24”であることを示し、図１３の左から２列目の上から５番目の“洗濯が終了しました。”は、サービス提供端末送信文の本文が、“洗濯が終了しました。”であることを示す。
【０２２５】
図１２のフローチャートの説明に戻り、例えば、ステップＳ１２８において、送信文生成部６３は、データ発生部６４から供給された“洗濯が終了したことを示す通知”である通知データ、並びにリーダライタ６１から供給された“@domain.com”であるドメイン名、“ABC123456789”である通知アドレス、“コインランドリー”であるカテゴリ情報、および“2004/11/11 20:55:24”を基に、図１３のサービス提供端末送信文を生成し、生成した図１３のサービス提供端末送信文を通信部６５に供給する。
【０２２６】
ステップＳ１２９において、通信部６５は、送信文生成部６３から供給されたサービス提供端末送信文を、ドメイン管理サーバ１４宛てに送信する。
【０２２７】
このように、サービス提供端末１２は、一時的に使用される通知アドレスを生成し、生成した通知アドレスをICカード１１に記憶させるとともに、生成した通知アドレスを基に、サービス提供端末送信文をドメイン管理サーバ１４宛てに送信することで、通知データ（サービス提供端末送信文）をサービス利用端末１３に受信させることができるようになる。その結果、ユーザは、自分のメールアドレスなどの個人情報が漏洩したり、そのメールアドレス宛てに迷惑メール（スパムメール）が送信されてくる心配をせずに、安心して通信システム１（サービス）を使用することができる。
【０２２８】
次に、図１４のフローチャートを参照して、ドメイン管理サーバ１４のデータ送受信の処理について説明する。
【０２２９】
ステップＳ１４１において、通信部１２１は、サービス利用端末１３から、サービス利用端末送信文を受信したか否かを判定する。
【０２３０】
ステップＳ１４１において、サービス利用端末送信文を受信していないと判定された場合、ステップＳ１４１の処理に戻り、上述した処理が繰り返される。すなわち、ドメイン管理サーバ１４は、サービス利用端末１３から、サービス利用端末送信文が送信されてくるまで、待機している。
【０２３１】
一方、ステップＳ１４１において、サービス利用端末送信文を受信したと判定された場合、ステップＳ１４２に進み、送信文解析部１２２は、通信部１２１から供給されてくるサービス利用端末送信文を解析する。送信文解析部１２２は、解析した情報である解析情報を制御部１２３に供給する。
【０２３２】
ここで、図１５は、サービス利用端末送信文の例を示す図である。
【０２３３】
図１５で示される例において、１行目は、項目を示し、２行目は、送信先のアドレスを示し、３行目は、送信元のアドレスを示し、４行目は、タイトルを示す。また、１列目は、項目を示し、２列目は、１列目に対応したデータを示す。すなわち、図１５で示される例において、サービス提供端末送信文は、“送信元のアドレス”から、“送信先のアドレス”宛てに送信される、“タイトル”からなる電子文書（例えば、電子メール）となる。
【０２３４】
図１５の左から２列目の上から２番目の“domainmanager@domain.com”は、送信先のアドレスが、“domainmanager@domain.com”であることを示し、図１５の左から２列目の上から３番目の“myaddress@domain.com”は、送信元のアドレスが、“myaddress@domain.com”であることを示す。すなわち、“myaddress@domain.com”である送信元（サービス利用端末１３）から、“domainmanager@domain.com”である送信先（ドメイン管理サーバ１４）に、サービス利用端末送信文が送信されることとなる。また、この場合、“myaddress@domain.com“は、サービス利用端末１３の実アドレスである。
【０２３５】
図１５の左から２列目の上から４番目の“転送設定コマンド ABC123456789 転送回数１”は、サービス提供端末送信文のタイトルが、“転送設定コマンド ABC123456789 転送回数１”であることを示す。
【０２３６】
図１４のフローチャートの説明に戻り、例えば、ステップＳ１４２において、送信文解析部１２２は、通信部１２１から供給されてくるサービス利用端末送信文から、タイトルが“転送設定コマンド ABC123456789 転送回数１”であるので、“ABC123456789”である通知アドレス宛てに、“１回転送する”という情報を解析し、解析した情報である解析情報を制御部１２３に供給する。
【０２３７】
ステップＳ１４３において、制御部１２３は、送信文解析部１２２から供給された解析情報を基に、通知アドレスとサービス利用端末１３の実アドレス（すなわち、サービス利用端末送信文の送信元のアドレス）とを対応させて、テーブル記憶部１２４に記憶されている転送テーブルに格納させる。
【０２３８】
図１６は、転送テーブルの例を示す図である。
【０２３９】
図１６で示される転送テーブルの例において、１行目は項目を示し、２行目以降はサービス利用端末１３のそれぞれのデータを示す。また、１列目は“通知アドレス”、２列目は“転送先実アドレス”、３列目は“転送回数”を示す。すなわち、転送テーブルには、ICカード１１を所持しているユーザを特定する通知アドレスに対応させて、転送先となるサービス利用端末１３の実アドレスと、転送する回数を定めた転送回数が格納されている。
【０２４０】
例えば、図１６で示される転送テーブルの例においては、“ABC123456789”である通知アドレスに対して、“myaddress@domain.com”である転送先実アドレス、および“1”である転送回数が格納されている。また、“ABC345678912”である通知アドレスに対して、“youraddress@domain.com”である転送先実アドレス、および“1”である転送回数が格納されている。さらに、“XYZ789123456”である通知アドレスに対して、“ouraddress@domain.com”である転送先実アドレス、および“2”である転送回数が格納されている。
【０２４１】
このように、転送テーブルに、通知アドレスと転送先となるサービス利用端末１３の実アドレスを対応させて格納することにより、サービス提供端末１２から送信されてくるサービス提供端末送信文を、サービス利用端末１３宛てに転送することができる。
【０２４２】
なお、転送テーブルに格納する情報は、少なくとも通知アドレスと転送先となるサービス利用端末１３の実アドレスとが対応して格納されていればよく、転送回数は必須ではないが、転送回数を格納しておくことにより、サービス提供端末送信文を複数回、転送することができるので、より細かいサービスを提供することができる。例えば、コインランドリー終了通知サービスにおいて、ユーザが洗濯と乾燥を行った場合、洗濯と乾燥の終了を、一度に両方を通知するのではなく、転送回数を２回に設定することにより、洗濯終了時に、まず、洗濯の終了を通知し、その後、乾燥終了後に、乾燥の終了を通知するなどして、ユーザにより詳細な情報を通知することができる。
【０２４３】
図１４のフローチャートの説明に戻り、例えば、ステップＳ１４３の処理において、制御部１２３は、送信文解析部１２２から供給された解析情報を基に（例えば、転送設定コマンドに従って）、“ABC123456789”である通知アドレス、“myaddress@domain.com”であるサービス利用端末の実アドレス、および“1”である転送回数とを対応させて、テーブル記憶部１２４に記憶されている転送テーブルに格納させる。この場合、図１６の転送テーブルの１行目の“ABC123456789”、“myaddress@domain.com“、および“1”が格納されたことになる。
【０２４４】
ステップＳ１４４において、通信部１２１は、サービス提供端末１２から、サービス提供端末送信文を受信したか否かを判定する。
【０２４５】
ステップＳ１４４において、サービス提供端末送信文を受信していないと判定された場合、ステップＳ１４４の処理に戻り、上述した処理が繰り返される。すなわち、ドメイン管理サーバ１４は、サービス提供端末１２から、サービス提供端末送信文が送信されてくるまで、待機している。
【０２４６】
一方、ステップＳ１４４において、サービス提供端末送信文を受信したと判定された場合、ステップＳ１４５に進み、送信文解析部１２２は、通信部１２１から供給されてくるサービス提供端末送信文を解析する。送信文解析部１２２は、解析した情報である解析情報を制御部１２３に供給する。
【０２４７】
ここで、サービス提供端末送信文は、上述した、図１３のサービス提供端末送信文と同一となる。
【０２４８】
従って、例えば、ステップＳ１４５において、送信文解析部１２２は、通信部１２１から供給される、サービス提供端末１２から送信されてきた図１３のサービス提供端末送信文から、送信先が“ABC123456789@domain.com“であるので、“ABC123456789”である通知アドレス宛に、図１３のサービス提供端末送信文を転送するという情報を解析し、解析した解析情報を制御部１２３に供給する。
【０２４９】
ステップＳ１４６において、制御部１２３は、送信文解析部１２２から供給された解析情報を基に、テーブル記憶部１２４に記憶されている転送テーブルから、転送先となるサービス利用端末１３の実アドレスを取得する。例えば、制御部１２３は、送信文解析部１２２から供給された“ABC123456789”である通知アドレス宛てに、サービス提供端末送信文を転送することを示す解析情報を基に、テーブル記憶部１２４に記憶されている図１６の転送テーブルから、“ABC123456789”に対応した“myaddress@domain.com”である転送先となるサービス利用端末１３の実アドレスを取得する。
【０２５０】
ステップＳ１４７において、制御部１２３は、転送テーブルから取得した転送先となるサービス利用端末１３の実アドレスを基に、通信部１２１に、サービス提供端末送信文を、サービス利用端末１３の実アドレス宛てに送信させる。例えば、ステップＳ１４７において、制御部１２３は、図１６の転送テーブルから取得した“myaddress@domain.com”である転送先となるサービス利用端末１３の実アドレスを基に、通信部１２１に、図１３のサービス提供端末送信文を、“myaddress@domain.com”であるサービス利用端末１３の実アドレス宛てに送信させる。
【０２５１】
すなわち、サービス提供端末１２から送信されてきたサービス提供端末送信文が、ドメイン管理サーバ１４を介して、サービス利用端末１３に転送される。
【０２５２】
ステップＳ１４８において、通信部１２１は、サービス利用端末１３から、通知アドレス削除コマンドを受信したか否かを判定する。
【０２５３】
ステップＳ１４８において、通知アドレス削除コマンドを受信していないと判定された場合、ステップＳ１４８の処理に戻り、上述した処理が繰り返される。すなわち、ドメイン管理サーバ１４は、サービス利用端末１３から、通知アドレス削除コマンドが送信されてくるまで、待機している。
【０２５４】
一方、ステップＳ１４８において、通知アドレス削除コマンドを受信したと判定された場合、ステップＳ１４９に進み、制御部１２３は、テーブル記憶部１２４に記憶されている転送テーブルに格納されている、転送を行った通知アドレスの転送回数を１減少させる。例えば、ステップＳ１４９において、制御部１２３は、テーブル記憶部１２４に記憶されている転送テーブルに格納されている、“ABC123456789”である通知アドレスの転送回数を１減少させて、「０」である転送回数を格納させる。
【０２５５】
ステップＳ１５０において、制御部１２３は、テーブル記憶部１２４に記憶されている転送テーブルに格納されている、減算の対象となった通知アドレスの転送回数が、減算の結果、「０」になったか否かを判定する。
【０２５６】
ステップＳ１５０において、転送回数が「０」であると判定された場合、ステップＳ１５１に進み、制御部１２３は、テーブル記憶部１２４に記憶されている転送テーブルに格納されている、対象となる通知アドレスを転送テーブルから削除する。例えば、ステップＳ１５１において、制御部１２３は、“ABC123456789”である通知アドレスの転送回数が「０」である場合、テーブル記憶部１２４に記憶されている転送テーブルに格納されている、“ABC123456789”である通知アドレス、“myaddress@domain.com“である転送先実アドレス、および”1“である転送回数を転送テーブルから削除して、処理を終了する。
【０２５７】
このように、ドメイン管理サーバ１４は、所定の転送回数を過ぎたデータを削除するので、再度、サービス提供端末送信文をサービス利用端末１３宛てに送信することができなくなり、サービス利用端末１３宛てに、不要なサービス提供端末送信文が送られてくることがなくなるとともに、転送テーブルのレコード数が増加し続けることを防ぐことができる。
【０２５８】
一方、ステップＳ１５０において、転送回数が「０」でないと判定された場合、まだ転送をするために、通知アドレスが必要となるので、通知アドレスを削除せず、ステップＳ１５１の処理をスキップして、処理を終了する。
【０２５９】
このように、ドメイン管理サーバ１４は、サービス提供端末１２から送信されてくるサービス提供端末送信文を、サービス利用端末１３宛てに転送することができる。またこのとき、ドメイン管理サーバ１４が、一時的に使用される通知アドレスを基に、サービス提供端末送信文を転送する処理を行うので、ユーザは、自分のメールアドレスなどの個人情報を教える必要がなくなり、個人情報の漏洩を心配する必要がなくなるので、安心してサービスを利用することができる。
【０２６０】
次に、図１７のフローチャートを参照して、サービス利用端末１３のデータ送受信の処理について説明する。
【０２６１】
ステップＳ１６１において、リーダライタ１０１は、アンテナ８６の、所定の周波数の電波を放射した状態における負荷状態を監視することにより、ICカード１１との通信が可能であるか否かを判定する。
【０２６２】
ステップＳ１６１において、ICカード１１との通信が可能でないと判定された場合、ステップＳ１６１の処理に戻り、上述した処理が繰り返される。すなわち、サービス利用端末１３は、ICカード１１との通信が可能となるまで、待機している。
【０２６３】
一方、ステップＳ１６１において、ICカード１１との通信が可能であると判定された場合、ステップＳ１６２に進み、リーダライタ１０１は、情報要求コマンドを生成し、生成した情報要求コマンドを、ICカード１１宛てに送信させる。
【０２６４】
例えば、ステップＳ１６２において、リーダライタ１０１の制御部８１は、ICカード１１との通信が可能であると判定された場合、情報要求コマンドを生成し、生成した情報要求コマンドをSPU８３に供給する。SPU８３は、制御部８１から供給された情報要求コマンドを符号化し、符号化した情報要求コマンドを変調部８４に供給する。変調部８４は、SPU８３から供給された符号化された情報要求コマンドを変調し、変調した情報要求コマンドを、アンテナ８６に供給することで、変調した情報要求コマンドである変調波を、電波としてICカード１１に送信させる。
【０２６５】
ステップＳ１６３において、リーダライタ１０１は、情報要求コマンドに応じて、ICカード１１から送信されてくる情報を受信する。例えば、ステップＳ１６３において、リーダライタ１０１は、情報要求コマンドに応じて、ICカード１１から送信されてくる、“ABC123456789”である通知アドレス、“コインランドリー”であるカテゴリ情報、および“2004/11/11 20:55:24”である開始時刻を受信する。
【０２６６】
具体的には、リーダライタ１０１の復調部８７は、アンテナ８６を介して、ICカード１１から送信されてくる“ABC123456789”である通知アドレス、“コインランドリー”であるカテゴリ情報、および“2004/11/11 20:55:24”である開始時刻を受信する。復調部８７は、アンテナ８６を介して、受信した情報を復調し、復調した情報をSPU８３に供給する。SPU８３は、復調部８７から供給されてくる情報を復号し、復号した情報を制御部８１に供給する。
【０２６７】
また、ステップＳ１６３において、リーダライタ１０１は、受信した情報のうち、通知アドレスを送信文生成部１０３に供給し、カテゴリ情報および開始時刻をフォルダ管理部１０２に供給する。
【０２６８】
ステップＳ１６４において、フォルダ管理部１０２は、リーダライタ１０１から供給されたカテゴリ情報を基に、カテゴリ情報を受信フォルダ名として設定する。例えば、ステップＳ１６４において、フォルダ管理部１０２は、リーダライタ１０１から供給された“コインランドリー”であるカテゴリ情報を基に、“コインランドリー”であるカテゴリ情報を受信フォルダ名として設定する。
【０２６９】
このように、予め受信フォルダを設定しておくことにより、ドメイン管理サーバ１４から送信されてくる、サービス利用端末送信文を所定の分類ごとに振り分けることができるので、ユーザは、より迅速に、所定の情報を確認することができる。
【０２７０】
なお、ここでは、カテゴリ情報が受信フォルダ名に設定されるとして説明したが、ユーザにより任意に設定することができる。また、例えば、カテゴリ情報が、コードである場合でも、フォルダ管理部１０２が、コードをカテゴリの実際の名前に変換する処理を提供することにより、受信フォルダ名が設定される。この場合、フォルダ管理部１０２は、カテゴリ情報のコードを基に、サービス提供端末送信文を受信フォルダに振り分ける。
【０２７１】
ステップＳ１６５において、送信文生成部１０３は、リーダライタ１０１から供給された通知アドレスを基に、サービス利用端末送信文を生成する。送信文生成部１０３は、生成したサービス利用端末送信文を通信部１０４に供給する。
【０２７２】
ここで、サービス利用端末送信文は、上述した、図１５のサービス利用端末送信文と同一となる。
【０２７３】
従って、例えば、ステップＳ１６５において、送信文生成部１０３は、リーダライタ１０１から供給された“ABC123456789”である通知アドレス、並びに、記憶部（図示せず）に記憶されている予め定められたドメインを管理するサーバのアドレスおよび転送に関する情報を基に、図１５のサービス利用端末送信文を生成し、生成した図１５のサービス利用端末送信文を通信部１０４に供給する。
【０２７４】
ここで、ドメインを管理するサーバのアドレスとは、例えば、“domainmanager@domain.com“であるドメイン管理サーバ１４のアドレスであり、転送に関する情報とは、例えば、ドメイン管理サーバ１４に転送を設定させるコマンドや、転送回数などである。またこれらのデータは、例えば、通知システム１（サービス）の使用を開始する際に、ユーザにより、初期設定として設定されるか、または工場出荷時設定として予め設定されている。
【０２７５】
ステップＳ１６６において、通信部１０４は、送信文生成部１０３から供給されたサービス利用端末送信文を、ドメイン管理サーバ１４宛てに送信する。例えば、ステップＳ１６６において、通信部１０４は、送信文生成部１０３から供給された図１５のサービス利用端末送信文を、ドメイン管理サーバ１４宛てに送信する。
【０２７６】
ステップＳ１６７において、通信部１０４は、ドメイン管理サーバ１４から、サービス提供端末送信文を受信したか否かを判定する。
【０２７７】
ステップＳ１６７において、サービス提供端末送信文を受信していないと判定された場合、ステップＳ１６７の処理に戻り、上述した処理が繰り返される。すなわち、サービス利用端末１３は、ドメイン管理サーバ１４から、サービス提供端末送信文が送信されてくるまで、待機している。
【０２７８】
一方、ステップＳ１６７において、サービス提供端末送信文を受信したと判定された場合、ステップＳ１６８に進み、送信文解析部１０５は、通信部１０４から供給されてくるサービス提供端末送信文を解析する。送信文解析部１０５は、解析した情報である解析情報を通知部１０６に供給する。
【０２７９】
ここで、サービス提供端末送信文は、上述した、図１３のサービス提供端末送信文と同一となる。
【０２８０】
従って、例えば、ステップＳ１６８において、送信文解析部１０５は、ドメイン管理サーバ１４から送信されてきた図１３のサービス提供端末送信文を基に、“コインランドリー 2004/11/11 20:55:24”であるタイトルおよび“洗濯が終了しました。”である本文を解析し、解析情報を通知部１０６に供給する。
【０２８１】
ステップＳ１６９において、通知部１０６は、送信文解析部１０５から供給された解析情報を基に、サービス提供端末送信文を通知する。例えば、ステップＳ１６９において、通知部１０６がLCDやCRTなどのディスプレイである場合、サービス提供端末送信文をディスプレイの表示部（図示せず）に表示させる。
【０２８２】
なお、このとき、通知部１０６は、フォルダ管理部１０２の制御を基に、送信文解析部１０５から供給されるサービス提供端末送信文を、カテゴリ情報ごとに受信フォルダに振り分ける。例えば、通知部１０６は、送信文解析部１０５から供給される“コインランドリー”であるカテゴリ情報を基に、サービス提供端末送信文を、（ステップＳ１６４の処理で設定された）“コインランドリー”であるカテゴリの受信フォルダに振り分ける。
【０２８３】
また、フォルダ管理部１０２は、リーダライタ１０１から供給された開始時刻と、サービス提供端末送信文のタイトルの開始時刻とが一致するかにより、ユーザが実際に依頼したサービスかを確認させるための通知をする。例えば、リーダライタ１０１から供給された“2004/11/11 20:55:24”である開始時刻と、サービス提供端末送信文のタイトルの“2004/11/11 20:55:24”である開始時刻とが一致するので、ユーザが依頼したサービスであることを示す通知をディスプレイの表示部に表示させる。それに対して、開始時刻が一致しない場合には、ユーザが依頼したサービスでないことを示す通知をディスプレイの表示部に表示させる。
【０２８４】
図１８は、サービス提供端末送信文を表示する通知部１０６の画面の一例を示す図である。
【０２８５】
通知部１０６の画面は、ツリービュー画面１９１、リスト画面１９２、およびプレビュー画面１９３から構成される。
【０２８６】
ツリービュー画面１９１には、カテゴリ情報が、ツリービュー形式で表示される。例えば、ツリービュー画面１９１には、カテゴリ情報として、“コインランドリー”、“航空機空席待ち”、“ポスター配信”、および“レストラン空席”が表示されている。
【０２８７】
上述したように、このツリービュー画面１９１のカテゴリ情報は、フォルダ管理部１０２により設定される。すなわち、サービス利用端末１３のリーダライタ１０１により、ICカード１１から読み取られたカテゴリ情報が、ツリービュー画面１９１に表示される。
【０２８８】
リスト画面１９２には、ドメイン管理サーバ１４から送信されてきたサービス提供端末送信文のリストが表示される。例えば、ツリービュー画面１９１のコインランドリーが選択されている場合、リスト画面１９２には、“コインランドリー 2004/5/5 19:20:11 ABC@domain.com 2004/5/5 20 …”、“コインランドリー 2004/10/10 21:30:20 ABC@domain.com 2004/10/10 22 …”、および“コインランドリー 2004/11/11 20:55:24 ABC@domain.com 2004/11/11 22 …”が表示されている。
【０２８９】
上述したように、リスト画面１９２に表示されるサービス提供端末送信文のリストは、カテゴリ情報ごとに、振り分けられて表示される。例えば、リスト表示画面１９２は、“コインランドリー”であるカテゴリ情報のサービス提供端末送信文が表示される。
【０２９０】
このように、リスト画面１９２には、サービス提供端末送信文のタイトルとして、カテゴリ情報と開始時刻が表示されるので、ユーザは、自分の利用したサービス（この場合、コインランドリー終了通知サービス）を思い出すことができるとともに、迷惑メールとの識別が容易になる。
【０２９１】
プレビュー画面１９３には、ユーザにより、リスト画面１９２に表示されているリストのうち、いずれかのサービス提供端末送信文がクリックされた場合、そのクリックされたサービス提供端末送信文の本文を表示させる。例えば、プレビュー画面１９３には、“洗濯が終了しました。”が表示される。
【０２９２】
このように、カテゴリ情報ごとに、サービス提供端末送信文が表示されるので、ユーザは、より迅速に、サービス提供端末送信文の内容を確認することができる。
【０２９３】
図１７のフローチャートの説明に戻り、ステップＳ１７０において、通信部１０４は、通知アドレス削除コマンドを、ドメイン管理サーバ１４宛てに送信して、処理を終了する。
【０２９４】
このように、サービス利用端末１３は、ICカード１１から受信した通知アドレスを基に、サービス利用端末送信文を生成し、生成したサービス利用端末送信文をドメイン管理サーバ１４宛てに送信することで、サービス提供端末１２から、サービス提供端末送信文を受信することができる。その結果、ユーザは、自分のメールアドレスなどの個人情報をサービスの提供者に対して教えなくても、サービスを利用することができる。
【０２９５】
上述した例においては、ユーザがICカード１１を所持して、ICカード１１をサービス提供端末１２とサービス利用端末１３に翳すことにより、サービス利用端末１３にサービス提供端末送信文を受信させるとして説明したが、本発明は、ICカード１１の機能を備えた携帯端末（例えば、携帯電話機）により、ユーザがその携帯端末をサービス提供端末１２に翳すことにより、携帯端末にサービス提供端末送信文を受信させることもできる。
【０２９６】
以下、図１９乃至図２２を参照して、携帯端末によるサービス提供端末送信文を受信する処理について説明する。
【０２９７】
図１９は、本発明に係る通信システム１の一実施の形態の他の構成を示すブロック図である。図１に示す場合と同様の部分には、同一の符号が付してあり、その説明は適宜省略する。
【０２９８】
この通信システム２０１は、サービス提供端末１２、ドメイン管理サーバ１４、および携帯端末２１１から構成されている。サービス提供端末１２と携帯端末２１１との間では、電波が利用されて非接触でのデータの送受信が行われるように構成されている。サービス提供端末１２とドメイン管理サーバ１４との間では、ネットワーク（図示せず）を介して、有線または無線により、通信するように構成されている。
【０２９９】
ドメイン管理サーバ１４と携帯端末２１１との間では、例えば、携帯電話機の基地局（図示せず）、公衆回線網（図示せず）、ゲートウェイ（図示せず）、またはインターネット（図示せず）などを介して、有線または無線により、通信するように構成されている。
【０３００】
図２０は、携帯端末２１１の機能の構成を示すブロック図である。
【０３０１】
携帯端末２１１は、非接触ICカードを内蔵する電子機器の一例である。携帯端末２１１は、例えば、携帯電話機、PHS（Personal Handyphone System）、またはPDAなどの非接触ICカードが内蔵されている機器である。
【０３０２】
携帯端末２１１は、ICカード２２１、フォルダ管理部２２２、送信文生成部２２３、通信部２２４、送信文解析部２２５、および通知部２２６を含むように構成される。
【０３０３】
フォルダ管理部２２２乃至通知部２２６のそれぞれは、図５のサービス利用端末１３を構成するフォルダ管理部１０２乃至通知部１０６のそれぞれと、基本的には、同様の構成と機能を有することができる。従って、フォルダ管理部２２２乃至通知部２２６の説明は、適宜省略する。ただし、図２０の携帯端末２１１においては、図５のサービス利用端末１３のリーダライタ１０１の代わりに、ICカード２２１が設けられている。ICカード２２１の機能の構成は、図２のICカード１１と、基本的には、同様の構成と機能を有する。すなわち、携帯端末２１１は、ICカード１１とサービス利用端末１３の両方の機能を備えているとも言える。
【０３０４】
ICカード２２１は、ユーザにより、携帯端末２１１が、サービス提供端末１２に翳された場合、電波を利用して、リーダライタ６１と非接触でのデータの送受信を行う。例えば、ICカード２２１は、リーダライタ６１から送信されてくる情報を受信し、受信した情報のうち、カテゴリ情報および開始時刻をフォルダ管理部２２２に供給し、通知アドレスを送信文生成部２２３に供給する。
【０３０５】
このように、ICカード１３と同様の機能を有するICカード２２１を携帯端末２１１に内蔵することにより、携帯端末２１１は、持ち運びが容易であるので、外出先のあらゆる場所で、サービスの提供を受けることができるようになる。
【０３０６】
次に、図２１のフローチャートを参照して、携帯端末２１１のデータ送受信の処理について説明する。なお、サービス提供端末１２とドメイン管理サーバ１４は、それぞれ、図１２と図１４のフローチャートと同様の処理を行うので、その詳細な説明は省略する。
【０３０７】
ステップＳ２０１において、ICカード２２１は、所定の周波数の電波を放射した状態における負荷状態を監視することにより、サービス提供端末１２から、ドメイン名要求コマンドを受信したか否かを判定する。
【０３０８】
ステップＳ２０１において、ドメイン名要求コマンドを受信していないと判定された場合、ステップＳ２０１の処理に戻り、上述した処理が繰り返される。すなわち、ICカード２２１は、ユーザにより、携帯端末２１１がサービス提供端末１２のリーダライタ６１に翳されて、ドメイン名要求コマンドが送信されてくるまで、待機している。
【０３０９】
一方、ステップＳ２０１において、ドメイン名要求コマンドを受信したと判定された場合、ステップＳ２０２に進み、ICカード２２１は、サービス提供端末１２から送信されてきたドメイン名要求コマンドに応じて、記憶しているドメイン名を読み出し、読み出したドメイン名を、サービス提供端末１２宛てに送信させる。
【０３１０】
例えば、ステップＳ２０２において、ICカード２２１は、サービス提供端末１２から送信されてきたドメイン名要求コマンドに応じて、記憶している“@domain.com”であるドメイン名を読み出し、読み出した“@domain.com”であるドメイン名を、サービス提供端末１２宛てに送信させる。
【０３１１】
ステップＳ２０３において、ICカード２２１は、サービス提供端末１２から、情報を受信する。例えば、ステップＳ２０３において、ICカード２２１は、サービス提供端末１２から送信されてくる、“ABC123456789”である通知アドレス、“コインランドリー”であるカテゴリ情報、“2004/11/11 20:55:24”である開始時刻を受信し、受信した情報のうち、“ABC123456789”である通知アドレスを送信文生成部２２３に供給し、カテゴリ情報および開始時刻をフォルダ管理部２２２に供給する。
【０３１２】
ステップＳ２０４において、フォルダ管理部２２２は、ICカード２２１から供給されたカテゴリ情報を基に、カテゴリ情報を受信フォルダ名として設定する。例えば、ステップＳ２０４において、フォルダ管理部２２２は、ICカード２２１から供給された“コインランドリー”であるカテゴリ情報を基に、“コインランドリー”であるカテゴリ情報を受信フォルダ名として設定する。
【０３１３】
このように、予め受信フォルダを設定しておくことにより、ドメイン管理サーバ１４から送信されてくる、サービス利用端末送信文を所定の分類ごとに振り分けることができるので、ユーザは、より迅速に、所定の情報を確認することができる。
【０３１４】
ステップＳ２０５において、送信文生成部２２３は、ICカード２２１から供給された通知アドレスを基に、サービス利用端末送信文を生成する。送信文生成部２２３は、生成したサービス利用端末送信文を通信部２２４に供給する。
【０３１５】
ここで、例えば、送信文生成部２２３が生成するサービス利用端末送信文が、上述した、図１５のサービス利用端末送信文と同一である場合、ステップＳ２０５において、送信文生成部２２３は、ICカード２２１から供給された“ABC123456789”である通知アドレス、並びに、記憶部（図示せず）に記憶されている予め定められたドメインを管理するサーバのアドレスおよび転送に関する情報を基に、図１５のサービス利用端末送信文を生成し、生成した図１５のサービス利用端末送信文を通信部２２４に供給する。
【０３１６】
ここで、ドメインを管理するサーバのアドレスとは、例えば、“domainmanager@domain.com“であるドメイン管理サーバ１４のアドレスであり、転送に関する情報とは、例えば、ドメイン管理サーバ１４に転送を設定させるコマンドや、転送回数などである。またこれらのデータは、例えば、通知システム２０１（サービス）の使用を開始する際に、ユーザにより、初期設定として設定されるか、または工場出荷時設定として予め設定されている。
【０３１７】
ステップＳ２０６において、通信部２２４は、送信文生成部２２３から供給されたサービス利用端末送信文を、ドメイン管理サーバ１４宛てに送信する。例えば、ステップＳ２０６において、通信部２２４は、送信文生成部２２３から供給された図１５のサービス利用端末送信文を、ドメイン管理サーバ１４宛てに送信する。
【０３１８】
ステップＳ２０７において、通信部２２４は、ドメイン管理サーバ１４から、サービス提供端末送信文を受信したか否かを判定する。
【０３１９】
ステップＳ２０７において、サービス提供端末送信文を受信していないと判定された場合、ステップＳ２０７の処理に戻り、上述した処理が繰り返される。すなわち、携帯端末２１１は、ドメイン管理サーバ１４から、サービス提供端末送信文が送信されてくるまで、待機している。
【０３２０】
一方、ステップＳ２０７において、サービス提供端末送信文を受信したと判定された場合、ステップＳ２０８に進み、送信文解析部２２５は、通信部２２４から供給されてくるサービス提供端末送信文を解析する。送信文解析部２２５は、解析した情報である解析情報を通知部２２６に供給する。
【０３２１】
ここで、例えば、ドメイン管理サーバ１４から送信されてくるサービス提供端末送信文が、上述した、図１３のサービス提供端末送信文と同一である場合、ステップＳ２０８において、送信文解析部２２５は、ドメイン管理サーバ１４から送信されてきた図１３のサービス提供端末送信文を基に、“コインランドリー 2004/11/11 20:55:24”であるタイトルおよび“洗濯が終了しました。”である本文を解析し、解析情報を通知部２２６に供給する。
【０３２２】
ステップＳ２０９において、通知部２２６は、送信文解析部２２５から供給された解析情報を基に、サービス提供端末送信文を通知する。例えば、ステップＳ２０９において、通知部２２６がLCDやCRTなどのディスプレイである場合、サービス提供端末送信文をディスプレイの表示部（図示せず）に表示させる。
【０３２３】
なお、このとき、通知部２２６は、フォルダ管理部２２２の制御を基に、送信文解析部２２５から供給されるサービス提供端末送信文を、カテゴリ情報ごとに受信フォルダに振り分ける。例えば、通知部２２６は、送信文解析部２２５から供給される“コインランドリー”であるカテゴリ情報を基に、サービス提供端末送信文を、（ステップＳ２０４の処理で設定された）“コインランドリー”であるカテゴリの受信フォルダに振り分ける。
【０３２４】
また、フォルダ管理部２２２は、ICカード２２１から供給された開始時刻と、サービス提供端末送信文のタイトルの開始時刻とが一致するかにより、ユーザが実際に依頼したサービスかを確認させるための通知をする。例えば、ICカード２２１から供給された“2004/11/11 20:55:24”である開始時刻と、サービス提供端末送信文のタイトルの“2004/11/11 20:55:24”である開始時刻とが一致するので、ユーザが依頼したサービスであることを示す通知をディスプレイの表示部に表示させる。それに対して、開始時刻が一致しない場合には、ユーザが依頼したサービスでないことを示す通知をディスプレイの表示部に表示させる。
【０３２５】
図２２は、サービス提供端末送信文を表示する通知部２２６の画面の一例を示す図である。
【０３２６】
通知部２２６の画面は、送信元アドレス２４１、タイトル２４２、および本文２４３から構成される。
【０３２７】
送信元アドレス２４１は、サービス提供端末送信文の送信元のアドレスを示す。例えば、送信元アドレス２４１には、図１３のサービス提供端末送信文がサービス提供端末１２から送信されてきた場合、“ABC@domain.com”であるサービス提供端末１２の電子メールのアドレスが表示される。
【０３２８】
タイトル２４２は、サービス提供端末送信文のタイトルを示す。例えば、タイトル２４２には、図１３のサービス提供端末送信文がサービス提供端末１２から送信されてきた場合、“コインランドリー 2004/11/11 20:55:24”であるタイトルが表示される。
【０３２９】
本文２４３は、サービス提供端末送信文の本文を示す。例えば、本文２４３には、図１３のサービス提供端末送信文がサービス提供端末１２から送信されてきた場合、“洗濯が終了しました。”である本文が表示される。
【０３３０】
このように、携帯端末２１１は、サービス提供端末送信文を受信することができるので、外出先や移動中であっても、サービス提供端末送信文を確認することができる。その結果、ユーザは、より迅速に、サービス提供端末送信文の内容を確認することができる。
【０３３１】
図２１のフローチャートの説明に戻り、ステップＳ２１０において、通信部２２４は、通知アドレス削除コマンドを、ドメイン管理サーバ１４宛てに送信して、処理を終了する。
【０３３２】
このように、サービス利用端末１３は、ICカード１１から受信した通知アドレスを基に、サービス利用端末送信文を生成し、生成したサービス利用端末送信文をドメイン管理サーバ１４宛てに送信することで、サービス提供端末１２から、サービス提供端末送信文を受信することができる。その結果、ユーザは、自分のメールアドレスなどの個人情報をサービスの提供者に対して教えなくても、サービスを利用することができる。また、ユーザは、携帯端末２１１を持ち歩くことにより、例えば、外出先や移動中であっても、サービス提供端末送信文の内容を確認することができるので、迅速に、内容に応じた行動を起こすことができる。
【０３３３】
ところで、上述した例においては、ドメイン管理サーバ１４が転送テーブルを管理する場合について説明してきたが、例えば、複数の会社が管理しているそれぞれのサーバに、転送テーブルなどの機能を新たに追加することによって問題となる場合もある。
【０３３４】
すなわち、電子メールは、プロバイダや携帯電話キャリアの、いわゆるメールサーバにより、配信される。例えば、ユーザがプロバイダと契約して、電子メールを使用している場合、メールサーバは、契約しているプロバイダが提供することとなる。また、この場合、電子メールのメールアドレスは、各ユーザごとに、一意となるように割り振られるが、メールアドレスのドメイン名は、各ユーザとも同一となり、このプロバイダ独自のドメイン名（例えば、“domain.com”）となる。
【０３３５】
また、同様に、例えば、ユーザが携帯電話機により、電子メールを使用している場合、メールサーバは、契約している携帯電話キャリアが提供することとなる。また、この場合、電子メールのメールアドレスは、一意となるが、ドメイン名は、この携帯電話キャリア独自のドメイン名（例えば、“domain2.com”）となる。
【０３３６】
まとめると、例えば、プロバイダ、携帯電話キャリア、企業、教育機関などのそれぞれが、一意となるドメイン名を有しており、その数は、無数にあるといってもよい。従って、本発明のサービス提供端末送信文（電子メール）を転送するドメイン管理サーバ１４の機能を、集約して処理した方がよい場合もある。
【０３３７】
以下、図２３乃至図２７を参照して、複数のドメイン管理サーバ１４が設けられた場合に、サービス提供端末送信文を転送する機能を集約したサーバ（後述する転送サーバ２６１）を設けて、転送させる処理について説明する。
【０３３８】
図２３は、本発明に係る通信システム１の一実施の形態の他の構成を示すブロック図である。図１に示す場合と同様の部分には、同一の符号が付してあり、その説明は適宜省略する。
【０３３９】
この通信システム２５１は、ICカード１１、サービス提供端末１２、サービス利用端末１３、ドメイン管理サーバ１４、および転送サーバ２６１から構成されている。すなわち、通信システム２５１は、図１の通信システムと比較して、転送サーバ２６１が追加された構成とされている。
【０３４０】
サービス提供端末１２と転送サーバ２６１との間では、ネットワーク（図示せず）を介して、有線または無線により、通信するように構成されている。また、同様に、サービス利用端末１３と転送サーバ２６１との間では、ネットワーク（図示せず）を介して、有線または無線により、通信するように構成されている。さらに、同様に、転送サーバ２６１とドメイン管理サーバ１４との間では、ネットワーク（図示せず）を介して、有線または無線により、通信するように構成されている。
【０３４１】
なお、通信システム２５１において、ドメイン管理サーバ１４は、上述した図１の通信システム１のドメイン管理サーバ１４の機能のうち、ユーザが送信した電子メールをメールアドレスで指定した相手に配送する機能やメールサーバ宛に届けられた電子メールをユーザのメールボックスに振り分けて格納する機能などの、メールサーバの機能を有する。
【０３４２】
図２４は、転送サーバ２６１の機能の構成を示すブロック図である。
【０３４３】
転送サーバ２６１は、通信部２７１、送信文解析部２７２、制御部２７３、およびテーブル記憶部２７４を含むように構成される。
【０３４４】
通信部２７１乃至テーブル記憶部２７４のそれぞれは、図６のドメイン管理サーバ１４の通信部１２１乃至テーブル記憶部１２４のそれぞれと、基本的には、同様の構成と機能を有することができる。従って、通信部２７１乃至テーブル記憶部２７４の説明は、適宜省略する。すなわち、転送サーバ２６１は、上述したドメイン管理サーバ１４と、基本的には、同様の構成と機能を有し、１つまたは複数のドメイン管理サーバ１４に対して、サービス提供端末送信文を転送する。
【０３４５】
通信部２７１は、サービス提供端末１２やサービス利用端末１３から、サービス提供端末送信文やサービス利用端末送信文を受信し、受信したサービス提供端末送信文やサービス利用端末送信文を送信文解析部１２２に供給する。また、通信部２７１は、制御部２７３の制御の基に、サービス提供端末送信文をドメイン管理サーバ１４に送信（転送）する。
【０３４６】
次に、図２５のフローチャートを参照して、転送サーバ２６１のデータ送受信の処理について説明する。なお、ICカード１１、サービス提供端末１２、サービス利用端末１３、およびドメイン管理サーバ１４は、それぞれ、図９、図１２、図１７、および図１４のフローチャートと同様の処理を行うので、その詳細な説明は省略する。
【０３４７】
ステップＳ２５１およびステップＳ２５２の処理は、図１４のステップＳ１４１およびステップＳ１４２の処理と同様であるので、その説明は省略する。
【０３４８】
ステップＳ２５３において、制御部２７３は、送信文解析部２７２から供給された解析情報を基に、通知アドレスとサービス利用端末１３の実アドレス（すなわち、サービス利用端末送信文の送信元のアドレス）とを対応させて、テーブル記憶部２７４に記憶されている転送テーブルに格納させる。
【０３４９】
図２６は、転送テーブルの例を示す図である。
【０３５０】
図２６で示される転送テーブルの例において、１行目は項目を示し、２行目以降はサービス利用端末１３のそれぞれのデータを示す。また、１列目は“通知アドレス”、２列目は“転送先実アドレス”、３列目は“転送回数”を示す。すなわち、転送テーブルには、ICカード１１を所持しているユーザを特定する通知アドレスに対応させて、転送先となるサービス利用端末１３の実アドレスと、転送する回数を定めた転送回数が格納されている。
【０３５１】
例えば、図２６で示される転送テーブルの例においては、“ABC123456789”である通知アドレスに対して、“myaddress@domain.com”である転送先実アドレス、および“1”である転送回数が格納されている。また、“ABC345678912”である通知アドレスに対して、“youraddress@domain2.com”である転送先実アドレス、および“2”である転送回数が格納されている。さらに、“XYZ789123456”である通知アドレスに対して、“ouraddress@domain3.com”である転送先実アドレス、および“1”である転送回数が格納されている。
【０３５２】
また、図２６で示される転送テーブルに格納されている転送先実アドレスであるが、ドメイン名が、例えば、“domain.com”（２列目の上から２番目）、“domain2.com”（２列目の上から３番目）、または“domain3.com”（２列目の上から４番目）のように、それぞれ異なっている。これは、上述したように、様々なドメイン名のドメイン管理サーバ１４に属しているサービス利用端末１３から、サービス利用端末送信文が送信されてくるので、ドメイン名も複数の種類となっている。
【０３５３】
このように、転送テーブルに、通知アドレスと転送先となるサービス利用端末１３の実アドレスを対応させて格納することにより、サービス提供端末１２から送信されてくるサービス提供端末送信文を、ドメイン管理サーバ１４を介して、サービス利用端末１３宛てに転送することができる。
【０３５４】
図２５のフローチャートの説明に戻り、例えば、ステップＳ２５３の処理において、制御部２７３は、送信文解析部２７２から供給された解析情報を基に（例えば、転送設定コマンドに従って）、“ABC123456789”である通知アドレス、“myaddress@domain.com”であるサービス利用端末１３の実アドレス、および“1”である転送回数とを対応させて、テーブル記憶部２７４に記憶されている転送テーブルに格納させる。この場合、図２６の転送テーブルの１行目の“ABC123456789”、“myaddress@domain.com“、および“1”が格納されたことになる。
【０３５５】
ステップＳ２５４乃至ステップＳ２５６の処理のそれぞれは、図１４のステップＳ１４４およびステップＳ１４６の処理のそれぞれと同様であるので、その説明は省略する。
【０３５６】
ステップＳ２５７において、制御部２７３は、転送テーブルから取得した転送先となるサービス利用端末１３の実アドレスを基に、通信部２７１に、ドメイン管理サーバ１４を介して、サービス提供端末送信文をサービス利用端末１３の実アドレス宛てに送信させる。例えば、ステップＳ２５７において、制御部２７３は、図２６の転送テーブルから取得した“myaddress@domain.com”である転送先となるサービス利用端末１３の実アドレスを基に、通信部２７１に、ドメイン管理サーバ１４を介して、図１３のサービス提供端末送信文を、“myaddress@domain.com”であるサービス利用端末１３の実アドレス宛てに送信させる。
【０３５７】
すなわち、サービス提供端末１２から送信されてくるサービス提供端末送信文は、転送サーバ２６１およびドメイン管理サーバ１４を介して、サービス利用端末１３に転送される。
【０３５８】
ステップＳ２５８乃至ステップＳ２６１の処理のそれぞれは、図１４のステップＳ１４８およびステップＳ１５１の処理のそれぞれと同様であるので、その説明は省略する。
【０３５９】
このように、転送サーバ２６１は、サービス提供端末１２から送信されてくるサービス提供端末送信文を、ドメイン管理サーバ１４を介して、そのドメイン管理サーバ１４に属しているサービス利用端末１３宛てに送信することができる。従って、例えば、複数のドメイン管理サーバ１４が設けられた場合であっても、１つの転送サーバ２６１を設けることにより、通信システム２５１を構成することができる。すなわち、転送サーバ２６１を設けるだけで、例えば、プロバイダや携帯電話キャリアの提供する、既存のメールサーバ（図２３のドメイン管理サーバ１４）をそのまま使用することができる。また、転送サーバ２６１を設けるのみであるので、より安価にシステムを構築できるとともに、転送サーバ２６１にサービス提供端末送信文を転送する処理の機能を集約しているので、運用や監視が容易になり、障害時においても、原因の特定を迅速に行うことができる。
【０３６０】
図２７は、転送サーバ２６１を設けた場合の構成の一例を示す図である。
【０３６１】
図２７で示される例において、通信システム２５１は、サービス提供端末１２、サービス利用端末１３−１−１乃至１３−１−Ｍ、サービス利用端末１３−２−１乃至１３−２−Ｊ、サービス利用端末１３−１−１乃至１３−Ｎ−Ｋ、ドメイン管理サーバ１４−１乃至１４−Ｎ、および転送サーバ２６１から構成される。
【０３６２】
サービス利用端末１３−１−１乃至１３−１−Ｍ、サービス利用端末１３−２−１乃至１３−２−Ｊ、およびサービス利用端末１３−１−１乃至１３−Ｎ−Ｋのそれぞれは、上述したサービス利用端末１３と同様の機能を有する。
【０３６３】
サービス利用端末１３−１−１乃至１３−１−Ｍのそれぞれは、例えば、ドメイン管理サーバ１４−１（例えば、“domain.com”であるドメイン名をドメインとする）を提供するプロバイダに加入している、それぞれのユーザにより使用される。
【０３６４】
また、同様に、サービス利用端末１３−２−１乃至１３−２−Ｊおよびサービス利用端末１３−１−１乃至１３−Ｎ−Ｋのそれぞれにおいても、例えば、ドメイン管理サーバ１４−２（例えば、“domain2.com”であるドメイン名をドメインとする）およびドメイン管理サーバ１４−Ｎ（例えば、“domain3.com”であるドメイン名をドメインとする）を提供するそれぞれのプロバイダに加入している、それぞれのユーザにより使用される。
【０３６５】
サービス利用端末１３−１−１乃至１３−１−Ｍ、サービス利用端末１３−２−１乃至１３−２−Ｊ、およびサービス利用端末１３−１−１乃至１３−Ｎ−Ｋのそれぞれは、ユーザにより、ICカード１１がそれぞれ翳された場合、サービス利用端末送信文を生成し、生成したサービス利用端末送信文を転送サーバ２６１宛てにそれぞれ送信する。
【０３６６】
転送サーバ２６１は、サービス利用端末１３−１−１乃至１３−１−Ｍ、サービス利用端末１３−２−１乃至１３−２−Ｊ、およびサービス利用端末１３−１−１乃至１３−Ｎ−Ｋのいずれかから、送信されてくるサービス利用端末送信文を受信し、受信したサービス利用端末送信文に含まれる、通知アドレスと、サービス利用端末１３の実アドレスを記憶する。
【０３６７】
例えば、転送サーバ２６１は、受信したサービス利用端末送信文に含まれる、通知アドレスと、サービス利用端末１３の実アドレスとを対応させて、上述した図２６の転送テーブルに格納する。すなわち、図２６の転送テーブルに格納された転送先実アドレスには、例えば、“domain.com”（２列目の上から２番目）、“domain2.com”（２列目の上から３番目）、または“domain3.com”（２列目の上から４番目）などのように、複数の種類のドメイン名が格納されている。
【０３６８】
サービス提供端末１２は、サービス提供端末送信文を生成し、生成したサービス提供端末送信文を転送サーバ２６１宛てに送信する。
【０３６９】
転送サーバ２６１は、サービス提供端末１２から供給されてくるサービス提供端末送信文を、記憶している転送テーブルに従って、ドメイン管理サーバ１４−１乃至１４−Ｎのいずれかに転送する。
【０３７０】
例えば、転送サーバ２６１は、サービス提供端末送信文に含まれる通知アドレスから、転送テーブルに格納されている通知アドレスに対応した、“myaddress@domain.com”である転送先実アドレスを読み出し、読み出した転送先実アドレスに従って、サービス提供端末送信文を（“domain.com”であるドメイン名をドメインとする）ドメイン管理サーバ１４−１宛てに転送する。
【０３７１】
例えば、同様に、転送サーバ２６１は、通知アドレスに対応した、“youraddress@domain2.com”である転送先実アドレスに従って、サービス提供端末１２から供給されてくるサービス提供端末送信文を、（“domain2.com”であるドメイン名をドメインとする）ドメイン管理サーバ１４−２宛てに転送する。また、同様に、転送サーバ２６１は、通知アドレスに対応した、“ouraddress@domain3.com”である転送先実アドレスに従って、サービス提供端末１２から供給されてくるサービス提供端末送信文を、（“domain3.com”であるドメイン名をドメインとする）ドメイン管理サーバ１４−Ｎ宛てに転送する。
【０３７２】
ドメイン管理サーバ１４−１乃至１４−Ｎのそれぞれは、上述したドメイン管理サーバ１４の機能のうち、ユーザが送信した電子メールをメールアドレスで指定した相手に配送する機能やメールサーバ宛に届けられた電子メールをユーザのメールボックスに振り分けて格納する機能などの、メールサーバの機能を有する。
【０３７３】
ドメイン管理サーバ１４−１乃至１４−Ｎのそれぞれは、転送サーバ２６１から送信されてくるサービス提供端末送信文を、サービス利用端末１３−１−１乃至１３−１−Ｍ、サービス利用端末１３−２−１乃至１３−２−Ｊ、およびサービス利用端末１３−１−１乃至１３−Ｎ−Ｋのいずれかに供給する。
【０３７４】
サービス利用端末１３−１−１乃至１３−１−Ｍ、サービス利用端末１３−２−１乃至１３−２−Ｊ、およびサービス利用端末１３−１−１乃至１３−Ｎ−Ｋのそれぞれは、ドメイン管理サーバ１４−１乃至１４−Ｎのいずれかから送信されてくるサービス提供端末送信文を受信する。
【０３７５】
そして、ユーザは、自分の使用するサービス利用端末１３により、サービス利用端末送信文を確認することができる。
【０３７６】
なお、図２７の構成は、サービス利用端末１３に限らず、図１９乃至図２２を参照して説明した携帯端末２１１においても同様の構成とすることができる。この場合、例えば、転送サーバ２６１は、転送テーブルに従って、サービス提供端末送信文を、携帯電話キャリアの提供するメールサーバ（ドメイン管理サーバ１２）に転送することにより、携帯端末２１１に受信させる。
【０３７７】
このように、複数のドメイン管理サーバ１２を設けた場合であっても、転送サーバ２６１を設けることにより、この転送サーバ２６１は、サービス提供端末１２から送信されてくるサービス提供端末送信文を、サービス利用端末１３−１−１乃至１３−１−Ｍ、サービス利用端末１３−２−１乃至１３−２−Ｊ、およびサービス利用端末１３−１−１乃至１３−Ｎ−Ｋのいずれか宛てに送信することができる。すなわち、転送サーバ２６１を設けるだけで、例えば、プロバイダや携帯電話キャリアの提供する、既存のメールサーバ（ドメイン管理サーバ１４−１乃至１４−Ｎ）をそのまま使用することができる。
【０３７８】
なお、上述した例においては、通信システム１の処理の一例として、コインランドリー終了通知サービスの処理について説明したが、それ以外にも、例えば、飲食店などで、入りきれずに行列となって待っているような場合に、本発明を適用することで、お店に入れる状態になったときに、サービス提供端末送信文を送信してユーザに通知することができる。また、テーマパーク（アミューズメントパーク）などで、アトラクション（乗り物）を待っているような場合でも、本発明を適用することで、アトラクションがユーザの順番になったときに、サービス提供端末送信文を送信してユーザに通知することができる。さらに、本発明を適用することで、航空機の空席の状況を、サービス提供端末送信文により、ユーザに通知するなど、様々な場面において適用することができる。
【０３７９】
すなわち、本発明は、ある任意のタイミングにおいて、ユーザに所定の情報を認識させたい場合に、適用することができる。
【０３８０】
また、上述した例においては、サービス提供端末送信文を電子メールにより送信するとして説明したが、それに限らず、例えば、インスタントメッセージング（instant messaging）などにより、サービス提供端末送信文を送信するようにしてもよい。
【０３８１】
さらに、サービス提供端末１２のアドレス生成部６２が、生成する通知アドレスであるが、ICカード１１（または、携帯端末２１１）が、通知アドレスを生成するか、またはサービス提供端末１２が、サービスIDのみを、ICカード１１（または、携帯端末２１１）に送信することで、ICカード１１（または、携帯端末２１１）が、通知アドレスを生成するようにしてもよい。すなわち、ICカード１１（または、携帯端末２１１）は、自分で通知アドレスを生成するか、またはサービス提供端末１２から送信されてくるサービスIDと、自分が生成した乱数とを合成して、通知アドレスを生成する。
【０３８２】
この場合、通知アドレスを含むサービス利用端末送信文は、ICカード１１（または、携帯端末２１１）から、（サービス利用端末１３を介して、）ドメイン管理サーバ１４宛てに送信される。そして、ドメイン管理サーバ１４は、サービス利用端末１３（または、携帯端末２１１）から送信されてくるサービス利用端末送信文に含まれる通知アドレスを、テーブル記憶部１２４に記憶されている転送テーブルに格納することができる。
【０３８３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３８４】
この記録媒体は、図７に示すように、コンピュータとは別に、ユーザにプログラムを提供するために配布される、プログラムが記録されている磁気ディスク１７１（フレキシブルディスクを含む）、光ディスク１７２（CD-ROM(Compact Disc-Read Only Memory)を含む）、光磁気ディスク１７３（MD（商標）を含む）、若しくは半導体メモリ１７４などよりなるパッケージメディアにより構成されるだけでなく、コンピュータに予め組み込まれた状態でユーザに提供される、プログラムが記録されているROM（図示せず）などで構成される。
【０３８５】
また、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０３８６】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３８７】
また、本明細書において、システムとは、複数の装置により構成される装置全体を表すものである。
【図面の簡単な説明】
【０３８８】
【図１】本発明を適用した通信システムの一実施の形態を示す図である。
【図２】ICカードの機能の構成を示すブロック図である。
【図３】サービス提供端末の機能の構成を示すブロック図である。
【図４】リーダライタの詳細な機能の構成を示すブロック図である。
【図５】サービス利用端末の機能の構成を示すブロック図である。
【図６】ドメイン管理サーバの機能の構成を示すブロック図である。
【図７】ドメイン管理サーバの構成例を示すブロック図である。
【図８】通信システムの全体の処理を説明するシーケンス図である。
【図９】ICカードのデータ送受信の処理について説明するフローチャートである。
【図１０】ICカードに設定されている情報の例を示す図である。
【図１１】ICカードが記憶する情報の例を示す図である。
【図１２】サービス提供端末のデータ送受信の処理について説明するフローチャートである。
【図１３】サービス提供端末送信文の例を示す図である。
【図１４】ドメイン管理サーバのデータ送受信の処理について説明するフローチャートである。
【図１５】サービス利用端末送信文の例を示す図である。
【図１６】転送テーブルの例を示す図である。
【図１７】サービス利用端末のデータ送受信の処理について説明するフローチャートである。
【図１８】サービス提供端末送信文を表示する通知部の画面の一例を示す図である。
【図１９】本発明に係る通信システムの一実施の形態の他の構成を示すブロック図である。
【図２０】携帯端末の機能の構成を示すブロック図である。
【図２１】携帯端末のデータ送受信の処理について説明するフローチャートである。
【図２２】サービス提供端末送信文を表示する通知部の画面の一例を示す図である。
【図２３】本発明に係る通信システムの一実施の形態の他の構成を示すブロック図である。
【図２４】転送サーバの機能の構成を示すブロック図である。
【図２５】転送サーバのデータ送受信の処理について説明するフローチャートである。
【図２６】転送テーブルの例を示す図である。
【図２７】転送サーバを設けた場合の構成の一例を示す図である。
【符号の説明】
【０３８９】
１  通信システム，  １１  ICカード，  １２  サービス提供端末，  １３  サービス利用端末，  １４  ドメイン管理サーバ，  ３４  制御部，  ３８  通知アドレス記憶部，  ６１  リーダライタ，  ６２  アドレス生成部，  ６３  送信文生成部，  ６４  データ発生部，  ６５  通信部，  ８１  制御部，  ８２  記録部，  １０１  リーダライタ，  １０２  フォルダ管理部，  １０３  送信文生成部，  １０４  通信部，  １０５  送信文解析部，  １０６  通知部，  １２１  通信部，  １２２  送信文解析部，  １２３  制御部，  １２４  テーブル記憶部，  １５１  CPU，  １７１  磁気ディスク，  １７２  光ディスク，  １７３  光磁気ディスク，  １７４  半導体メモリ，  ２０１  通信システム，  ２１１  携帯端末，  ２２１  ICカード，  ２２２  フォルダ管理部，  ２２３  送信文生成部，  ２２４  通信部，  ２２５  送信文解析部，  ２２６  通知部，  ２５１  通信システム，  ２６１  転送端末，  ２７１  通信部，  ２７２  送信文解析部，  ２７３  制御部，  ２７４  テーブル記憶部
【図１】
2006155188.tif 000003
【図２】
2006155188.tif 000004
【図３】
2006155188.tif 000005
【図４】
2006155188.tif 000006
【図５】
2006155188.tif 000007
【図６】
2006155188.tif 000008
【図７】
2006155188.tif 000009
【図８】
2006155188.tif 000010
【図９】
2006155188.tif 000011
【図１０】
2006155188.tif 000012
【図１１】
2006155188.tif 000013
【図１２】
2006155188.tif 000014
【図１３】
2006155188.tif 000015
【図１４】
2006155188.tif 000016
【図１５】
2006155188.tif 000017
【図１６】
2006155188.tif 000018
【図１７】
2006155188.tif 000019
【図１８】
2006155188.tif 000020
【図１９】
2006155188.tif 000021
【図２０】
2006155188.tif 000022
【図２１】
2006155188.tif 000023
【図２２】
2006155188.tif 000024
【図２３】
2006155188.tif 000025
【図２４】
2006155188.tif 000026
【図２５】
2006155188.tif 000027
【図２６】
2006155188.tif 000028
【図２７】
2006155188.tif 000029